(57)【要約】  本開示は、動作時に、アクセスポイント（ＡＰ）から、ＷＵＲディスカバリーフレームの送信に使われる少なくとも１つのＷＵＲディスカバリーチャネルを示すエレメントを受信する、主無線（ＰＣＲ）回路と、動作時に、ＷＵＲディスカバリーフレームについてＷＵＲディスカバリーチャネルをスキャンするために使われるウェイクアップ受信機（ＷＵＲｘ）回路と、動作時に、ＰＣＲ回路またはＷＵＲｘ回路で受信された情報に基づいて、該ＷＵＲｘ回路に、少なくとも１つのＷＵＲディスカバリーチャネル中のＷＵＲディスカバリーチャネルをスキャンするよう指示するコントローラであって、この情報は少なくとも１つのＷＵＲディスカバリーチャネルの各々に対するＡＰの数を表し、これらＡＰの各々は前記ＷＵＲディスカバリーチャネル上でＷＵＲディスカバリーフレームを送信している、該コントローラと、を含む通信装置を提供する。【選択図】図７
2021508203.tif 000002
【特許請求の範囲】
【請求項１】
動作時に、アクセスポイント（ＡＰ）から、ＷＵＲディスカバリーフレームの送信に使われる少なくとも１つのＷＵＲディスカバリーチャネルを示すエレメントを受信する、主無線（ＰＣＲ）回路と、
動作時に、ＷＵＲディスカバリーフレームについてＷＵＲディスカバリーチャネルをスキャンするために使われるウェイクアップ受信機（ＷＵＲｘ）回路と、
動作時に、前記ＰＣＲ回路または前記ＷＵＲｘ回路で受信された情報に基づいて、前記ＷＵＲｘ回路に、少なくとも１つのＷＵＲディスカバリーチャネル中のＷＵＲディスカバリーチャネルをスキャンするよう指示するコントローラであって、前記情報は前記少なくとも１つのＷＵＲディスカバリーチャネルの各々に対するＡＰの数を表し、前記ＡＰの各々は前記ＷＵＲディスカバリーチャネル上でＷＵＲディスカバリーフレームを送信している、前記コントローラと、
を含む通信装置。
【請求項２】
動作時に、前記ＷＵＲディスカバリーチャネルに対する前記ＡＰの数が２つ以上であれば、前記コントローラが前記ＷＵＲｘ回路に、前記ＷＵＲディスカバリーチャネルのスキャニングを続けるように指示し、それ以外であれば、動作時に、前記コントローラが前記ＷＵＲｘ回路に、前記少なくとも１つのＷＵＲディスカバリーチャネル中の別のＷＵＲディスカバリーチャネルをスキャンするか、またはスキャニングを終了するように指示する、
請求項１に記載の通信装置。
【請求項３】
前記情報が前記ＰＣＲ回路で受信されるときは、前記情報が前記エレメントに含まれている、
請求項１に記載の通信装置。
【請求項４】
前記エレメントが少なくとも１つのＷＵＲ  ＡＰ情報フィールドを含み、その各々のＷＵＲ  ＡＰ情報フィールドが、前記少なくとも１つのＷＵＲディスカバリーチャネルの各々に対応していて、前記少なくとも１つのＷＵＲディスカバリーチャネルが、ＷＵＲオペレーティングクラスフィールドおよびＷＵＲディスカバリーチャネルフィールドによって示されており、各フィールドは前記対応するＷＵＲ  ＡＰ情報フィールドに含まれていて、前記ＡＰの数が、前記ＷＵＲ  ＡＰ情報フィールド中のＷＵＲ  ＡＰカウントフィールドによって示されている、
請求項３に記載の通信装置。
【請求項５】
前記情報が前記ＷＵＲｘ回路で受信されるときは、前記情報が前記ＷＵＲディスカバリーフレームに含まれている、
請求項１に記載の通信装置。
【請求項６】
前記エレメントが、ビーコンフレームおよびプローブ応答フレームのうちの少なくとも１つに含まれている、
請求項１に記載の通信装置。
【請求項７】
前記エレメントが前記ビーコンフレームに含まれているとき、前記ＰＣＲ回路が、前記ＡＰから前記ビーコンフレームを周期的に受信する、
請求項６に記載の通信装置。
【請求項８】
動作時に、前記ＷＵＲｘ回路が、前記ＡＰから前記ＷＵＲディスカバリーフレームを周期的に受信する、
請求項５に記載の通信装置。
【請求項９】
動作時に、前記コントローラが前記ＷＵＲｘ回路に、ＷＵＲディスカバリーチャネルのスキャニングを前記エレメント中に示された前記ＷＵＲディスカバリーチャネルに限定するように指示する、
請求項１に記載の通信装置。
【請求項１０】
前記情報が、前記ＰＣＲ回路で受信されるときは、前記エレメントが、ＰＣＲチャネルフィールド、ＢＳＳＩＤフィールド、および短縮ＳＳＩＤの存在を示すビットマップフィールドを含む、
請求項１に記載の通信装置。
【請求項１１】
動作時に、ＷＵＲディスカバリーフレームの送信のため使用される少なくとも１つのＷＵＲディスカバリーチャネルの情報を含み、前記少なくとも１つのＷＵＲディスカバリーチャネルの各々に対するＡＰの数を示すエレメントを生成する信号生成回路であって、前記ＡＰの各々が前記ＷＵＲディスカバリーチャネル上でＷＵＲディスカバリーフレームを送信している前記信号生成回路と、
動作時に、前記エレメントを送信する送信機と、
を含むアクセスポイント。
【請求項１２】
前記送信機が、前記１つ以上のＷＵＲディスカバリーチャネル中の一ＷＵＲディスカバリーチャネル上でＷＵＲディスカバリーフレームを周期的に送信する、
請求項１１に記載のアクセスポイント。
【請求項１３】
前記少なくとも１つのＷＵＲディスカバリーチャネルが、ＷＵＲオペレーティングクラスフィールドおよびＷＵＲディスカバリーチャネルフィールドによって示されており、各フィールドは前記エレメントに含まれていて、ＷＵＲディスカバリーチャネル上でＷＵＲディスカバリーフレームを送信している前記ＡＰの数が、前記エレメント中のＷＵＲ  ＡＰカウントフィールドに示されている、
請求項１１に記載のアクセスポイント。
【請求項１４】
前記エレメントが、ビーコンフレームおよびプローブ応答フレームのうちの少なくとも１つに含まれている、
請求項１１に記載のアクセスポイント。
【請求項１５】
前記エレメントが前記ビーコンフレームに含まれているとき、前記送信機が周期的に前記ビーコンフレームを送信する、
請求項１４に記載のアクセスポイント。
【請求項１６】
前記アクセスポイントのＷＵＲディスカバリーフレームを送信するのに使われる前記ＷＵＲディスカバリーチャネルが、全ての可能なＷＵＲチャネルから選択される、
請求項１２に記載のアクセスポイント。
【請求項１７】
前記エレメントが、ＰＣＲチャネルフィールド、ＢＳＳＩＤフィールド、および圧縮ＳＳＩＤの存在を示すビットマップフィールドを含む、
請求項１１に記載のアクセスポイント。
【請求項１８】
近隣のアクセスポイントによって送信される前記エレメントが、近隣のアクセスポイントによって使われる前記ＷＵＲディスカバリーチャネルの前記情報を集めるために用いられる、
請求項１１に記載のアクセスポイント。
【請求項１９】
動作時に、或る特定のＷＵＲディスカバリーチャネル上でＷＵＲディスカバリーフレームを送信しているＡＰの情報を含む少なくとも１つのＷＵＲ  ＡＰ情報フィールドを含むエレメントを生成する信号生成回路であって、前記ＷＵＲ  ＡＰ情報フィールドの各々が、前記ＷＵＲ  ＡＰ情報フィールド中にリストされたＡＰの数を表すＷＵＲ  ＡＰカウントフィールドを含む、前記信号生成回路と、
動作時に、前記エレメントを送信する送信機と、
を含むアクセスポイント。
【発明の詳細な説明】
【技術分野】
【０００１】
本開示は、一般に通信装置および通信方法に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（米国電気電子技術者協会））８０２．１１ｂａタスクグループは、現在、ウェイクアップ無線（ＷＵＲ：ｗａｋｅ−ｕｐ  ｒａｄｉｏ）装置のオペレーションに関するワイヤレス通信技術の標準化のプロセスを進めている。このＷＵＲ装置は、主無線（ＰＣＲ：ｐｒｉｍａｒｙ  ｃｏｎｎｅｃｔｉｖｉｔｙ  ｒａｄｉｏ）装置の随伴無線装置であり、同じ周波数帯のレガシーＩＥＥＥ８０２．１１デバイスとも共存する。このＰＣＲは、既存の主流のＩＥＥＥ  ８０２．１１改正（８０２．１１ａ、８０２．１１ｇ、８０２．１１ｎ、もしくは８０２．１１ａｃ）のいずれであってもよく、さらには他の適用可能な将来の改正（例えば、８０２．１１ａｘ）であってもよい。ＷＵＲ装置の目的は、有効なウェイクアップ・パケットの受信に応じＰＣＲ装置のスリープ状態からの移行をトリガすることであり、このＰＣＲは主ワイヤレス無線機として使われる。ＰＣＲ装置は、アクティブな通信の間だけオンになっており、アイドルリスニングの間は、ＰＣＲ装置はオフになっておりＷＵＲ装置だけが作動している。ＷＵＲ装置は、１ミリワットより小さなアクティブ受信機の電力消費を有することを期待されており、これはＰＣＲ装置のアクティブ受信機の電力消費よりも相当に小さい。ＷＵＲ装置を備えたデバイスは、ＷＵＲデバイスと呼ばれることもあり、ＷＵＲモードとは、ＷＵＲだけが作動し、ＰＣＲはオフである動作モードを称し得る。また、８０２．１１ｂａタスクグループは、現在、ＷＵＲ装置を利用することによって、ネットワーク検出（ディスカバリー）手順を強化することを検討している。ＷＵＲ装置を利用するネットワーク検出手順は、ＰＣＲスキャニングまたは単にスキャニングと呼ばれることもある、ＰＣＲを使ったネットワーク検出と区別するために、スマートスキャニングとして知られていることがある。
【０００３】
ＩＥＥＥ８０２．１１ｂａ改正は、通信デバイスが、通常、バッテリで電力供給されており、適度な低遅延を維持しながらバッテリの寿命を延長することが極めて望ましい用途およびモノのインターネットＩｎｔｅｒｎｅｔ−ｏｆ−Ｔｈｉｎｇｓ（ＩＯＴ）を使用するケースを主な対象としている。また一方、スマートスキャニングのためＷＵＲ装置を実装するデバイスは、主たるモチベーションがバッテリの節電よりもむしろより迅速なネットワーク検出である、スマートフォンまたはタブレットなどの主流のデバイスであってもよい。
【先行技術文献】
【非特許文献】
【０００４】
【非特許文献１】ＩＥＥＥ規格８０２．１１−２０１６
【非特許文献２】ＩＥＥＥ規格８０２．１１ａｉ−２０１６
【非特許文献３】ＩＥＥＥ規格８０２．１１ａｈ−２０１６
【非特許文献４】ＩＥＥＥ  ８０２．１１−１７／０５７５ｒ７、Ｓｐｅｃｉｆｉｃａｔｉｏｎ  Ｆｒａｍｅｗｏｒｋ  ｆｏｒ  ＴＧｂａ、２０１７年１１月
【非特許文献５】ＩＥＥＥ  ８０２．１１−１７／００２９ｒ１０、ＷＵＲ  Ｕｓａｇｅ  Ｍｏｄｅｌ  Ｄｏｃｕｍｅｎｔ
【非特許文献６】ＩＥＥＥ  ８０２．１１−１７／１６０８ｒ６：  Ｕｐｄａｔｅ  ｏｎ  ＷＵＲ  ｄｉｓｃｏｖｅｒｙ  ｆｒａｍｅ  ｆｏｒ  ｓｍａｒｔ  ｓｃａｎｎｉｎｇ
【発明の概要】
【発明が解決しようとする課題】
【０００５】
チャネルスキャニングおよびネットワーク検出は、通常、多くの時間を要し、その結果、ワイヤレスデバイスは、新規接続のセットアップ、またはローミング目的のためのスキャニングで、バッテリのかなりの部分を消費し得る。さらに、ＶＯＩＰ（Ｖｏｉｃｅ  ｏｖｅｒ  ＩＰ（ボイスオーバーアイピー））またはビデオ電話など遅延に過敏なアプリケーションの或るタイプについては、スキャニング遅延は、ローミングの間に中断をもたらすこともある。
【０００６】
本開示の或る非限定の例示的な実施形態は、このスキャニング遅延を低減する手段の提供を容易化する。
【課題を解決するための手段】
【０００７】
１つの一般的態様において、本明細書で開示される技法は、動作時に、アクセスポイント（ＡＰ：Ａｃｃｅｓｓ  Ｐｏｉｎｔ）から、ＷＵＲディスカバリーフレームの送信のために使われる少なくとも１つのＷＵＲディスカバリーチャネルを示すエレメントを受信する、主無線（ＰＣＲ）回路と、動作時に、ＷＵＲディスカバリーフレームについてＷＵＲディスカバリーチャネルをスキャンするために使われるウェイクアップ受信機（ＷＵＲｘ）回路と、動作時に、ＰＣＲ回路またはＷＵＲｘ回路で受信された情報に基づいて、ＷＵＲｘ回路に、少なくとも１つのＷＵＲディスカバリーチャネル中のＷＵＲディスカバリーチャネルをスキャンするよう指示するコントローラであって、この情報は該少なくとも１つのＷＵＲディスカバリーチャネルの各々に対するＡＰの数を表し、これらＡＰの各々は前記ＷＵＲディスカバリーチャネル上でＷＵＲディスカバリーフレームを送信している、該コントローラと、を含む通信装置を特徴とする。
【０００８】
なお、一般のまたは特定の諸実施形態は、システム、方法、集積回路、コンピュータプログラム、ストレージ媒体、またはこれらの任意の選択による組み合せとして実装することが可能である。
【発明の効果】
【０００９】
本開示に記載の通信装置および通信方法は、スキャニング遅延を低減する手段の提供を容易化する。
【００１０】
本開示の諸実施形態のさらなる利益および利点は、本明細書および図面から明らかとなろう。これらの利益および／または利点は、本明細書および図面の様々な実施形態および特徴によって個別に得ることが可能であり、かかる利益および／または利点の１つ以上を得るために、これらの全てが提供される必要はない。
【図面の簡単な説明】
【００１１】
【図１】レガシー８０２．１１デバイスとＷＵＲ対応可能デバイスとの混合による異種構成の８０２．１１ワイヤレスネットワークの一例を示す。
【図２】８０２．１１ｂａタスクグループで検討されているＷＵＲ  ＰＨＹプロトコルデータユニット（ＰＰＤＵ：Ｐｒｏｔｏｃｏｌ  Ｄａｔａ  Ｕｎｉｔ）のフォーマットを示す。
【図３】２つのワイヤレスネットワークの間の例示のローミングシナリオを示す。
【図４】実施の形態１による、限定数のディスカバリーチャネルを使ったスマートスキャニング手順の一例を示す。
【図５】実施の形態１による、ＷＵＲオペレーションエレメントを示す。
【図６】実施の形態１による、例示のＷＵＲディスカバリーフレームを示す。
【図７】実施の形態１による、限定数のディスカバリーチャネルを使ったスマートスキャニング手順の一例を示す。
【図８】実施の形態１による、別の例示のＷＵＲディスカバリーフレームを示す。
【図９】実施の形態１による、高速スマートスキャニング手順を利用できる例示のローミングシナリオを示す。
【図１０】図９の例示のローミングシナリオの時間ドメイン図を示す。
【図１１】実施の形態１による、高速スマートスキャニング手順を利用できる別の例示のローミングシナリオを示す。
【図１２】図１１の例示のローミングシナリオの時間ドメイン図を示す。
【図１３】図１１の例示のローミングシナリオに対する別の手順の時間ドメイン図を示す。
【図１４】実施の形態１による、縮約近隣レポートエレメントを示す。
【図１５】実施の形態１による、短縮ＳＳＩＤエレメントを示す。
【図１６】実施の形態１による、組織識別（ＯＩ：Ｏｒｇａｎｉｚａｔｉｏｎ  Ｉｄｅｎｔｉｆｙ）エレメントを示す。
【図１７】フルスマートスキャニングとともに高速スマートスキャニングを用いる一例を示す。
【図１８】実施の形態１による、ＷＵＲビーコンのフレームフォーマットを示す。
【図１９】実施の形態２による、例示のＷＵＲディスカバリーフレームを示す。
【図２０】実施の形態２による、限定数のディスカバリーチャネルを使った高速スマートスキャニング手順の一例を示す。
【図２１】本開示のスキャニングスキームを実装する例示のＡＰの簡略化ブロック図である。
【図２２】本開示のスキャニングスキームを実装する例示のＡＰの詳細なブロック図である。
【図２３】本開示のスキャニングスキームを実装する例示のＷＵＲ  ＳＴＡの簡略化ブロック図である。
【図２４】本開示のスキャニングスキームを実装する例示のＷＵＲ  ＳＴＡの詳細なブロック図である。
【図２５】実施の形態３による、近隣ＷＵＲ  ＡＰ情報を含むことが可能な例示の情報エレメントを示す。
【図２６】実施の形態３による、近隣ＷＵＲ  ＡＰ情報を含むことが可能な別の例示の情報エレメントを示す。
【図２７】実施の形態３による、近隣ＷＵＲ  ＡＰ情報を含むように転用されてよい縮約近隣レポートエレメントを示す。
【図２８】実施の形態３による、最小に圧縮されたＷＵＲディスカバリーフレームを示す。
【図２９】実施の形態３による、図１１の例示のローミングシナリオの別の時間ドメイン図を示す。
【図３０】実施の形態３による、ＷＵＲディスカバリーフレームの圧縮バージョンを示す。
【図３１Ａ】実施の形態３による、近隣国／地域インデックスフィールドの符号化を示す。
【図３１Ｂ】実施の形態３による、オペレーティングクラスおよびチャネルインデックスフィールドの符号化を示す。
【図３２】実施の形態４による、図９の例示のローミングシナリオの別の時間ドメイン図を示す。
【図３３】実施の形態４による、ＷＵＲ能力エレメントを示す。
【発明を実施するための形態】
【００１２】
本開示は、以降の図面および実施形態の助けを借りてより良く理解することができる。本明細書に記載の諸実施形態は、単なる例示的な性質のものであって、本開示の可能な応用および用途の一部を説明するために使われており、本明細書中に明示で記載されていない別の実施形態に関して本開示を限定していると捉えるべきではない。
【００１３】
図１は、本開示を適用できるワイヤレス通信ネットワーク１００の一例を示す。このワイヤレス通信ネットワークは、ＩＥＥＥ８０２．１１などの一般的なワイヤレス規格に基づいていてよい。ワイヤレス通信ネットワーク１００は、アクセスポイント（ＡＰ）１１０、および３つの端末（ＳＴＡ：ｓｔａｔｉｏｎ）１２０、１３０および１４０を含んでいてよい。ＡＰ１１０は、主無線（ＰＣＲ）装置（以降、簡単に「ＰＣＲ」と言う）１１２を備えており、該装置は、８０２．１１波形（例えば、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））のワイヤレス信号を送信および受信する能力があり、さらにウェイクアップ無線（ＷＵＲ）波形（例えば、オンオフ変調（ＯＯＫ：Ｏｎ−Ｏｆｆ  Ｋｅｙｉｎｇ））のワイヤレス信号を送信する能力がある。ＳＴＡ１２０は、８０２．１１信号を送信および受信する能力のあるＰＣＲ１２２だけを備えたレガシーの８０２．１１デバイスであり、ＳＴＡ１３０および１４０は、両方ともＷＵＲ能力のあるＳＴＡで、それぞれ、ＰＣＲ装置（以降、簡単に「ＰＣＲ」と言う）１３２および１４２、および、それぞれ、ウェイクアップ無線受信機（ＷＵＲｘ）装置（以降、簡単に「ＷＵＲｘ」と言う）１３４および１４４を備えている。ＳＴＡ１３０および１４０は、８０２．１１信号を送信および受信する能力があり、また、ＷＵＲ信号を受信する能力もある。ＰＣＲ１３２および１４２は、アクティブな通信の間だけオンにする（ＰＣＲモード）ことができ、アイドルリスニングの期間は、ＰＣＲはオフにし、ＷＵＲｘ１３４および１４４だけが動作するようにする（ＷＵＲモード）ことができる。当該ＳＴＡがＡＰ１００に既に関連付けられている場合、ＡＰ１１０は、ＷＵＲモードで動作しているＳＴＡと通信する必要があるとき、まず、それらＳＴＡに、それぞれのＰＣＲをオンにしＷＵＲｘをオフにすることによってＰＣＲモードに移行することを通告するウェイクアップ信号を送信することができる。その後、ＡＰとＳＴＡとは、ＰＣＲを介して通信を行うことが可能となる。通信が終了したならば、ＳＴＡは、ＰＣＲをオフにしＷＵＲｘをオンにして、ＷＵＲモードに戻ることができる。また、アイドル時間の間、ＷＵＲのＳＴＡは、それらのＷＵＲｘを使って、近隣の新しいＡＰを見出すために、ＷＵＲチャネルをパッシブにスキャンしてよい。
【００１４】
図２は、ＩＥＥＥ８０２．１１ｂａタスクグループで検討されているウェイクアップ信号のフォーマットである。このウェイクアップ信号は、ＷＵＲ  ＰＨＹプロトコルデータユニット（ＰＰＤＵ）２００として示すことができる。ＷＵＲ  ＰＰＤＵ２００は、２つの別個の部分から成る。その第一部分は、２０ＭＨｚレガシー（非高スループット（ｎｏｎ−ｈｉｇｈ−ｔｈｒｏｕｇｈｐｕｔ（ＨＴ））としても知られる）８０２．１１プリアンブル２１０およびＷＵＲマークと呼ばれる１つの追加ＯＦＤＭシンボル２１８から成り、これらは、２０ＭＨｚチャネル全体にわたる８０２．１１ＯＦＤＭ波形で送信される。第二部分は、ウェイクアップ・パケット（ＷＵＰ：ｗａｋｅ−ｕｐ  ｐａｃｋｅｔ）ペイロード２２０で、これは、２０ＭＨｚチャネル内の、例えば、４ＭＨｚサブチャネルなど、より狭いサブチャネル中でＷＵＲ  ＯＯＫ波形で送信される。図２には単一のＷＵＰペイロード２２０だけが示されているが、複数の、例えば３つのＷＵＰペイロードを、２０ＭＨＺチャネル内の異なるオーバーラップしないサブチャネル上で送信することも可能である。
【００１５】
レガシー８０２．１１のプリアンブル２１０は、ＷＵＲ信号を理解しないレガシー８０２．１１ＳＴＡとの共存を提供する。プリアンブル２１０は、非ＨＴショートトレーニングフィールド（Ｌ−ＳＴＦ：Ｓｈｏｒｔ  Ｔｒａｉｎｉｎｇ  Ｆｉｅｌｄ）２１２、非ＨＴロングトレーニングフィールド（Ｌ−ＬＴＦ：Ｌｏｎｇ  Ｔｒａｉｎｉｎｇ  Ｆｉｅｌｄ）２１４、および非ＨＴシグナル（Ｌ−ＳＩＧ：ＳＩＧＮＡＬ）フィールド２１６をさらに含む。Ｌ−ＳＩＧ２１６は、ＷＵＰペイロード２２０の長さに関する情報を含み、レガシーな８０２．１１デバイスが、その送信を適正な持続時間に延ばすことを可能にする。二値位相偏移変調（ＢＰＳＫ：Ｂｉｎａｒｙ  Ｐｈａｓｅ  Ｓｈｉｆｔ  Ｋｅｙｉｎｇ）に変調された４マイクロ秒の持続時間のＷＵＲマーク２１８は、８０２．１１ｎデバイスが、ＷＵＲ  ＰＰＤＵ２００を８０２．１１ｎのパケットと間違えて復号するのを防止するために、Ｌ−ＳＩＧ２１６の直後に送信される。
【００１６】
ＷＵＰペイロード２２０は、実際のウェイクアップ信号を含み、ウェイクアップ・プリアンブル２２２およびＷＵＲフレーム２３０を含む。ウェイクアップ・プリアンブル２２２は、自動利得制御（ＡＧＣ：ａｕｔｏｍａｔｉｃ  ｇａｉｎ  ｃｏｎｔｒｏｌ）、タイミング同期、パケット検出などのために用いられ、一方、ＷＵＲフレーム２３０は制御情報を含む。ＷＵＲフレーム２３０は、ＷＵＲ  ＭＡＣプロトコルデータユニット（ＭＰＤＵ：ＷＵＲ  ＭＡＣ  Ｐｒｏｔｏｃｏｌ  Ｄａｔａ  Ｕｎｉｔ）としても知られ、ＭＡＣヘッダ２４０、フレームチェックシーケンス（ＦＣＳ：Ｆｒａｍｅ  ｃｈｅｃｋ  ｓｅｑｕｅｎｃｅ）２５２、および随意のフレームボディ２５０など、様々なサブフィールドからさらに構成されてよい。ＭＡＣヘッダ２４０は、フレームタイプ２６２、フレーム長さなどを特定するフレーム制御フィールド２４２、送信元アドレスもしくは受信先アドレスまたはその両方を含むアドレスフィールド２４４からさらに構成されてよい。他の制御情報は、フレームタイプに応じて、ＴＤ制御フィールド２４６中に含むことが可能である。例えばＷＵＲビーコンフレーム中では、ＴＤ制御フィールド２４６はタイムスタンプフィールドを含むことができ、一方、ユニキャストＷＵＲフレーム中では、ＴＤ制御フィールド２４６はパケット番号などを含むことができる。
【００１７】
図３は、それぞれがそれ自身のＡＰ、それぞれＡＰ１  ３１２およびＡＰ２  ３２２を備えた２つのオーバーラップする基本サービスセット（ＢＳＳ：Ｂａｓｉｃ  Ｓｅｒｖｉｃｅ  Ｓｅｔ）３１０および３２０による、例示のワイヤレスネットワーク３００を示す。ＡＰ１  ３１２およびＡＰ２  ３２２の両方は、図１中のＡＰ１１０と同様なＷＵＲ対応可能なＡＰであり、８０２．１１の波形（ＯＦＤＭ）およびＷＵＲ波形（ＯＯＫ）の両方で送信することが可能である。ＢＳＳ３１０はチャネル１上で動作しており、ＢＳＳ３２０は、オーバーラップのないチャネル６上で動作している。現在ＡＰ１  ３１２に関連付けられている、ＷＵＲ対応可能ＳＴＡ３３０が、軌道３３２に沿ってＢＳＳ３２０の方に移動しているのが示されている。ＳＴＡ３３０は、図１中のＳＴＡ１３０であってよく、ＰＣＲ１３２およびＷＵＲｘ１３４の両方を備えている。例えば、ＳＴＡ３３０は、通常の８０２．１１無線装置に加えてＷＵＲｘを備えたスマートフォンであってよい。ＳＴＡ３３０がＡＰ１  ３１０から遠ざかり、ＡＰ２  ３２０に近付くにつれ、該ＳＴＡのＡＰ１  ３１０との通信リンクの品質は劣化し始める可能性があり、例えば、過剰なパケット不良とその再送信を経験し始める可能性がある。かかるリンクの劣化は、通常、ＳＴＡ３３０のローミングスキャンをトリガすることになり、該ＳＴＡは、ＢＳＳ３１０およびＡＰ１  ３１２よりも良好なリンク品質を提供する別のネットワークを見出すために、動作が可能な他のチャネルのスキャンを開始することになる。ＳＴＡ３３０は、パッシブスキャン、すなわち、パッシブに諸チャネルをリスニングし、異なるＡＰからのビーコンフレームを収集するか、あるいは、アクティブスキャン、すなわち、アクティブに各チャネルでＡＰにプローブ応答を問い合わせる。いずれの場合も、通常、ＳＴＡが動作可能なチャネルの数は相当に多く全体のスキャニングおよびネットワーク検出プロセスは（アクティブスキャンかパッシブスキャンのいずれかを問わず）多くの時間を要し、これは通信リンクにかなりの中断をもたらすこともある。２．４ＧＨｚ周波数帯域中には、最大１４個の２０ＭＨｚチャネルがあり、また、５ＧＨｚ帯域では９つの非ＤＦＳ（Ｄｙｎａｍｉｃ  Ｆｒｅｑｕｅｎｃｙ  Ｓｅｌｅｃｔｉｏｎ（動的周波数選択））チャネルがある。たとえ１チャネルのスキャンにかかる時間が１００ミリ秒であるとしても、合計スキャン遅延は２．３秒になり、かかる遅延は、多くのアプリケーションに対し極めて大きな中断を生じさせる。一例として、ＶＯＩＰ  （Ｖｏｉｃｅ  ｏｖｅｒ  ＩＰ（ボイス  オーバー  ＩＰ））は、円滑な電話品質のために１５０ミリ秒の以内の遅延を推奨しており、一方、８０２．１１無線を使っての典型的ローミングは数秒を要し得る。或るユーザがローミングの間、たまたまＶＯＩＰ電話中である場合、該ユーザは、サービスの中断を経験することになり、最悪の場合、例えば、ＴＣＰ接続の喪失に起因して電話の切断さえ経験することになる。最終的に、ＳＴＡ３３０がスキャンプロセスを完了し、ＢＳＳ３２０を検出したとき、該ＳＴＡは、ＡＰ１  ３１２との関連付けを断ち、ＡＰ２  ３２２と関連付けることができる。
【００１８】
別のスキャニングメカニズムとして、スマートスキャニングと呼ばれる新規の使用モデルが、ＩＥＥＥ  ８０２．１１ｂａ使用モデル文書に最近加えられた。スマートスキャニング使用モデルは、ＷＵＲ無線を使って、周期的に諸チャネルのパッシブスキャンを行い、近隣のＡＰについての情報を収集する、ＷＵＲ対応可能なＳＴＡを構想している。収集された情報は、今後のより迅速なローミングを促進するために用いることが可能である。ＷＵＲ無線の比較的に低い電力消費によって、スマートスキャニングは、バックグラウンドで頻繁に行うことが可能である。スマートスキャニング使用モデルは、他の８０２．１１ｂａ使用モデルとは大きく異なっている。ＷＵＲ無線をＰＣＲのウェイクアップを可能にするためだけに用いる代わりに、スマートスキャニング使用は、ＷＵＲ無線を、ＰＣＲがドーズ状態またはさらにオフ状態の間にもバックグラウンドスキャンを行うため利用することを構想している。他の使用モデルが、主として、主無線の休眠による電力節減に重点を置き、バッテリが限定されるデバイスを対象としているのに対し、スマートスキャニング使用モデルは、スマートフォン、タブレットなど主流の携帯デバイスに対して意図されている。ＷＵＲ無線はＷＵＲ信号の受信のため用いるように設計されているので、ビーコンフレームまたはプローブ応答フレームなどのスキャンのため用いられる通常のＩＥＥＥ８０２．１１フレームは、ＷＵＲスマートスキャニングのために用いることはできない。しかして、ＷＵＲスマートスキャニングを可能にするために、ＷＵＲディスカバリーフレームと呼ばれるＷＵＲフレームの新しいタイプが提案されており、ＷＵＲ対応可能ＡＰは、ＷＵＲスマートスキャニングを援助するために、ＷＵＲチャネル上でＷＵＲディスカバリーフレームを周期的に放送することになる。
【００１９】
本開示を詳しく説明するために、後記のセクションでいくつかの例示的な実施形態を詳しく解説する。本開示による、スキャン遅延を低減するための様々な実施形態を、以下のセクションで詳しく説明する。
【００２０】
（実施の形態１）
前に説明したように、ＷＵＲベースのスマートスキャニングは、ＷＵＲ無線（ＷＵＲｘ）の低電力消費のおかげで電力消費の観点から決定的な利点を有することになろう。但し、ＷＵＲ送信の低いデータ速度を考えれば、ＷＵＲスマートスキャニングに対し極めて重要な、ＡＰによるＷＵＲディスカバリーフレームの送信は、非常に頻繁には行えないことになり得る。これは、多数のＷＵＲチャネルをスキャニングする必要性と併せると、より長くはないにせよ、同等な長さのスキャニングプロセスを生成することになる。そこで、スキャン遅延を低減する１つの仕方は、ＷＵＲディスカバリーフレームの送信をＷＵＲチャネルのサブセットに制限することとなろう。これらのＷＵＲチャネルは、ＷＵＲディスカバリーチャネルと称することができる。単一のＷＵＲチャネルを、ＷＵＲディスカバリーフレームを送信するために使われることになる唯一共通のＷＵＲディスカバリーチャネルとして指定することが、スキャン遅延の観点からは最善であろう。但し、ワイヤレスチャネル品質の予測性の生来的な欠如によって、ＷＵＲディスカバリーチャネルとして単一のＷＵＲチャネルを有するだけでは、これもまた危険である。よりよい選択肢は、候補ＷＵＲディスカバリーチャネルとしていくつかのＷＵＲチャネルを指定することであり得て、各個別のＡＰは、そのＢＳＳに対する動作ディスカバリーチャネルとして、それら候補チャネルの１つを選択することが可能である。
【００２１】
図４は、３つのＷＵＲチャネルがディスカバリーチャネルとして指定されているときの、例示のスマートスキャニング手順４００を示す。図３中のＡＰ１  ３１２は、そのＷＵＲディスカバリーフレーム４１４を、ディスカバリーチャネルＤ−ＣＨ１  ４１０上で送信し、一方、ＡＰ２  ３２２は、そのＷＵＲディスカバリーフレーム４２４を、ディスカバリーチャネルＤ−ＣＨ２  ４２０上で送信している。４２６および４３４は、それぞれ、ディスカバリーチャネルＤ−ＣＨ２  ４２０およびＤ−ＣＨ３  ４３０上の他の近隣ＡＰにより送信されているディスカバリーフレームである。ＡＰは、そのＷＵＲオペレーションパラメータを広告するために、図５に示されたＷＵＲオペレーションエレメント５００を使用することができる。ＷＵＲオペレーションフィールド５１０は、ＡＰが、そのメンバーＷＵＲ  ＳＴＡを目覚めさせるために用いるＷＵＲチャネルを知らせるためのＷＵＲオペレーティングチャネルフィールド５１２を含むことが可能である。ＷＵＲディスカバリーチャネルフィールド５１４は、ＡＰがそのＷＵＲディスカバリーフレームを放送するのに用いるＷＵＲチャネルを広告する。最後に、ＷＵＲ  ＴＸＩＤフィールド５１６は、ＡＰが、送信ＩＤを必要とする当該ＷＵＲフレーム中で、その送信ＩＤとして使う送信機識別子を放送するのに用いることができる。ＷＵＲオペレーションエレメントは、ＡＰのＰＣＲによって送信される８０２．１１ビーコンフレームおよびプローブ応答フレーム中に含めることが可能である。ＡＰがそれ自身のＷＵＲオペレーティングチャネル、ＷＵＲディスカバリーチャネル、およびそのＷＵＲ  ＴＸＩＤを決めるために、そのＢＳＳをセットアップするとき、そのＡＰによって、近隣のＡＰのＷＵＲオペレーションエレメントの内容が使用されてよい。通常、新規のＢＳＳを設定するとき、誤りウェイクアップを最少化するために、ＡＰは、その近隣のＡＰからＷＵＲオペレーションエレメントを収集し、近隣のＡＰによって使われていないＷＵＲチャネルを、そのＷＵＲオペレーティングチャネルとして選択することができる。また、同様に、ＡＰは、送信ＩＤの衝突を回避／低減するために、その近隣ＡＰのどれによっても使われていないＴＸＩＤを選択する。但し、ＷＵＲディスカバリーチャネルの選択は、展開の如何により得て、例えば、同じＥＳＳ（Ｅｘｔｅｎｄｅｄ  Ｓｅｒｖｉｃｅ  Ｓｅｔ（拡張サービスセット））の全てのＡＰは、同じディスカバリーチャネル上でそれらのＷＵＲディスカバリーフレームを送信することを選択してもよく、異なるＥＳＳのＡＰは、異なるディスカバリーチャネルを選択してもよい。ＷＵＲスマートスキャニングを実行するＷＵＲ  ＳＴＡは、Ｄ−ＣＨ１  ４１０のスキャニングを開始し、スキャン持続時間Ｔの間続くＷＵＲスキャン窓４１２の間、ＷＵＲディスカバリーフレームを聞き取り、このＴは、ＡＰによって送信される２つの連続するＷＵＲディスカバリーフレームの間の最大許容時間間隔と等しいか、それよりわずかに長くなければならない。このことは、ＷＵＲ  ＳＴＡが、このチャネル上で送信された全てのＷＵＲディスカバリーフレームを受信することを確実にし、これは、例えば、ＡＰ１  ３１２によって送信されたＷＵＲディスカバリーフレーム４１４である。Ｄ−ＣＨ１  ４１０のスキャニングを完了した後、このＷＵＲ  ＳＴＡはそのＷＵＲｘを第二ＷＵＲディスカバリーチャネルＤ−ＣＨ２  ４２０に同調させ、ＷＵＲディスカバリーフレーム４２４および４２６を受信して、ＷＵＲスキャン窓４２２が終わるまでＷＵＲディスカバリーフレームの聞き取りをする。Ｄ−ＣＨ２  ４２０のスキャニングを完了した後、ＷＵＲ  ＳＴＡは、再度そのＷＵＲｘを第三ＷＵＲディスカバリーチャネルＤ−ＣＨ３  ４３０に同調し、ＷＵＲディスカバリーフレーム４３４を受信して、ＷＵＲスキャン窓４３２が終わるまでＷＵＲディスカバリーフレームの聞き取りをする。スマートスキャニング手順４００が完了すると、ＷＵＲ  ＳＴＡは、これら４つのＷＵＲディスカバリーフレームから収集した情報を用いて、参入対象のＡＰまたはＢＳＳについての決定を行うことができる。前に説明したように、たとえディスカバリーチャネルの数を３つに限定することがスキャン対象のチャネルの数を大幅に削減するのを助力するとしても、２つの引き続くＷＵＲディスカバリーフレームの間の大きな間隔によって、実際のスキャン遅延は、通常の８０２．１１スキャンよりも格段に小さくはなり得ない。例として、全てのＡＰが、１秒の間隔でＷＵＲディスカバリーフレームを送信する場合、そのスマートスキャニング手順４００は３秒かかることになり、これはまだ非常に長い。
【００２２】
スマートスキャニング手順４００に対する比較的大きなスキャン遅延についての１つの理由は、ディスカバリーチャネルの各々に対し、少なくともＷＵＲスキャン持続時間Ｔの間聞き取りをする必要があることである。例えば、たとえＡＰ１  ３１２だけが、ディスカバリーチャネルＤ−ＣＨ１  ４１０上でＷＵＲディスカバリーフレーム４１４を送信しているとしても、ＳＴＡはそのＷＵＲスキャン窓４１２の全体の聞き取りをしなければならない。これは、ＳＴＡが、当該チャネル上にどのくらい多くのＷＵＲディスカバリーフレームが予期されるか定かでないという事実に起因する。もしＳＴＡが、チャネルＤ−ＣＨ１  ４１０上で１つだけのＡＰがＷＵＲディスカバリーフレームを送信しているとの事前情報を有していたとすれば、ＷＵＲディスカバリーフレーム４１４を受信したのに応じ、該ＳＴＡは、直ちに次のディスカバリーチャネルＤ−ＣＨ２に切替えることができたであろう。この目標は、各ＷＵＲ対応可能ＡＰに、そのＷＵＲディスカバリーフレーム中に、同じディスカバリーチャネル上で、ＷＵＲディスカバリーフレームを同様に送信している近隣のＡＰのカウントを含めさせることによって達成することが可能である。ＷＵＲディスカバリーフレーム６００のフォーマットが図６に示されている。ＷＵＲディスカバリーフレーム６００は、図２中のＷＵＲフレーム２３０と同じ構造に従って、フレーム制御６０２中のフレームタイプフィールド６０４がＷＵＲディスカバリーフレームを示し、長さフィールド６０６がフレームボディフィールド６２６の長さを示している。アドレスフィールド６１０は、当該ＷＵＲディスカバリーフレームを送信したＡＰを一意的に識別するＡＰの送信ＩＤ（ＴＸＩＤ：ｔｒａｎｓｍｉｔ  ＩＤ）に設定されている。ＷＵＲディスカバリーフレームは、可変長（ＶＬ：Ｖａｒｉａｂｌｅ  Ｌｅｎｇｔｈ）ＷＵＲフレームとされており、しかして、随意のフレームボディフィールド６２６を含む。フレームボディフィールド６２６のサブフィールドの一部は随意とすることが可能なので、ＴＤ制御フィールド６２０は、存在ビットマップフィールド６２２を含み、これは様々なサブフィールドの存在／不存在を示し、例えば、１はフレームボディフィールド６２６中に対応サブフィールドが存在することを示し、０はそのサブフィールドが不存在であることを示す。ＰＣＲチャネルサブフィールド６３０は、ＡＰがそのＰＣＲのため用いるプライマリ２０ＭＨｚチャネルを示す。オペレーティングクラス６３２フィールドおよびチャネルフィールド６３４は、合わさってプライマリ２０ＭＨｚチャネルを一意的に識別する。ＷＵＲディスカバリーチャネルとＢＳＳのＰＣＲ２０ＭＨｚプライマリチャネルとが同じである必要はないが、但し、或る状況では、ＡＰが、ＷＵＲディスカバリーチャネルおよびＢＳＳのＰＣＲ２０ＭＨｚプライマリチャネルの両方に対し同じ２０ＭＨｚチャネルを選択することは可能である。かかる場合、ＰＣＲチャネルサブフィールド６３０は、ＷＵＲディスカバリーフレーム６００から省かれてよく、その不存在は、ＷＵＲディスカバリーフレーム６００が受信された２０ＭＨｚチャネルが、同時にＡＰが送信したディスカバリーフレームのプライ��リ２０ＭＨｚチャネルでもあることを暗黙裡に示す。あるいは、これを示すために、ＴＤ制御フィールド６２０中の１ビットが使われてもよい。また、フレームボディは、当該ＡＰが属するワイヤレスネットワークを識別するためのサブフィールドを含むことができる。ＡＰが属するＥＳＳ（Ｅｘｔｅｎｄｅｄ  Ｓｅｒｖｉｃｅ  Ｓｅｔ（拡張サービスセット））を表すために、ＳＳＩＤ（Ｓｅｒｖｉｃｅ  Ｓｅｔ  Ｉｄｅｎｔｉｆｉｅｒ（サービスセット識別子））が広く使われている。一例として、ＳＳＩＤのコンパクトな表現として、短縮ＳＳＩＤサブフィールド６４０が、フレームボディ中に含まれてよい。ＳＳＩＤから短縮ＳＳＩＤを生成する、またその逆生成の例示の手順が（非特許文献２）中に示されている。あるいは、短縮ＳＳＩＤサブフィールドは、（非特許文献３）中で紹介されている圧縮ＳＳＩＤを含むことも可能である。短縮ＳＳＩＤフィールド６４０は、既知のＳＳＩＤを備えるＥＳＳに属するＡＰをフィルタするために使うことができる。近隣ＡＰカウントサブフィールド６５０は、同じディスカバリーチャネル上でＷＵＲディスカバリーフレームを同様に送信している近隣のＡＰの数を示すために、ＡＰによって使用される。ＡＰは、様々な仕方で近隣のＡＰに関する情報を収集することができる。例えば、中央管理の企業ＥＳＳでは、中央コントローラが、該ＥＳＳ中の各ＡＰに、かかる情報を提供することが可能である。あるいは、各ＡＰは、例えば、そのＡＰのメンバーＳＴＡからの定期的レポートを介するか、またはＡＰ自身の周期的オフチャネルスキャンを介して自分でかかる情報を集めてもよい。図５中のＷＵＲオペレーションエレメント５００中に含まれるＷＵＲディスカバリーチャネルフィールド５１４は、ＡＰが、それ自体と同じディスカバリーチャネル上でＷＵＲディスカバリーフレームを同様に送信している近隣のＡＰのカウントを作表するために使用されてよい。ＢＳＳ負荷フィールド６６０は、或る特定のＢＳＳへの全体的負荷を表す代表的指標として使用することができる。通常、チャネル利用度、当該ＡＰに関連付けられているＳＴＡの数など、様々なパラメータがＢＳＳの負荷を表すために使われているが、長さの限度に起因して、それらの全てをＷＵＲディスカバリーフレーム中に含めることは実際的でない。しかし、ＢＳＳ負荷フィールド６６０は、ＢＳＳへの現在負荷の概略指標を示すことが可能で、例えば、低い値（５０未満）は軽く負荷されたＢＳＳを表すことができ、高い値（２００より大きい）はヘビーに負荷されたＢＳＳなどを表すことができる。
【００２３】
スキャン遅延を削減するため、近隣ＡＰカウント情報を利用するスマートスキャニングは、高速スマートスキャニングと称することができる。図７は、図４で使われたのと同じ例に対する、例示の高速スマートスキャニング手順７００を示す。このＷＵＲディスカバリーフレーム７１４は、ディスカバリーチャネルＤ−ＣＨ１  ７１０上で送信されている唯一のディスカバリーフレームであり、しかしてＷＵＲディスカバリーフレーム７１４の近隣ＡＰカウントサブフィールド６５０は０を示している。ＷＵＲディスカバリーフレーム７１４を受信したＷＵＲ  ＳＴＡは、送信しているＡＰに関する関連情報を保存する。同時に、該ＳＴＡは、近隣ＡＰカウントサブフィールド６５０の内容を介して、ディスカバリーチャネルＤ−ＣＨ１  ７１０上には他のＷＵＲディスカバリーフレームは予期されていないことを知らされる。しかして、ＳＴＡは、ＷＵＲスキャン持続時間の終了までＤ−ＣＨ１  ７１０のスキャニングを続ける必要はなく、ＷＵＲスキャン窓７１２を短縮して、直ちにディスカバリーチャネルＤ−ＣＨ２  ７２０に切替えてＷＵＲスキャン窓７２２を開始することができる。ＷＵＲディスカバリーフレーム７２４を受信すると、ＳＴＡは、ＷＵＲディスカバリーフレーム７２４の近隣ＡＰカウントサブフィールド６５０を参照し、これは１を示して、もう１つのＷＵＲディスカバリーフレームがＤ−ＣＨ２  ７２０上に予期されていることを示している。しかして、ＳＴＡは、チャネル上の聞き取りを続け、ＷＵＲディスカバリーフレーム７２６を受信する。ＷＵＲディスカバリーフレーム７２６の近隣ＡＰカウントサブフィールド６５０も同様に１を示し、このＳＴＡはもう１つのＷＵＲディスカバリーフレーム７２４を既に受信しているので、ＷＵＲスキャン窓７２２を短縮し、直ちにディスカバリーチャネルＤ−ＣＨ３  ７３０に切替えてＷＵＲスキャン窓７３２を開始することができる。ＷＵＲディスカバリーフレーム７３４を受信したのに応じ、ＳＴＡは、ＷＵＲディスカバリーフレーム７３４の近隣ＡＰカウントサブフィールド６５０を参照し、これは０を示して、これ以上のＷＵＲディスカバリーフレームがＤ−ＣＨ３  ７３０上に予期されていないことを示している。Ｄ−ＣＨ３  ７３０はスキャンリスト上の最後のＷＵＲディスカバリーチャネルなので、ＳＴＡは、ＷＵＲスキャン窓７３２を短縮して、時間７４２でこの高速スマートスキャニング手順７００を終了し、この時間は、当初のスマートスキャニング手順の終了時間７４０よりも相当に早い。
【００２４】
ＷＵＲディスカバリーフレーム８００の別のフォーマットが図８に示されている。近隣ＡＰカウントサブフィールド８１４を随意的フレームボディに配置する代わりに、該サブフィールドはそれに換えてＴＤ制御フィールド８１０中に含まれてもよい。これは、ＷＵＲディスカバリーフレーム８００の長さを短縮するだけでなく、フレームボディの他のサブフィールドが不存在の状況において、フレームボディ全体をＷＵＲディスカバリーフレーム８００から省くことが可能で、極めてコンパクトなフレームをもたらす。このシナリオは、例えば、企業ネットワークでは、ＳＴＡが、その現在のＡＰによって提供される近隣レポートを通して近隣の他のＡＰを既に知っているので可能性が高い。但し、いくつかの他の使用シナリオでは、フレームボディの様々なサブフィールドがなお必要であり得る。Ｗｉ−Ｆｉアライアンスのホットスポット２．０プログラムを介してのＩＥＥＥ８０２．１１ｕ改正の普及とともに、複数の外部サービスプロバイダまたはＳＳＰＮ（Ｓｕｂｓｃｒｉｂｅｒ  Ｓｅｒｖｉｃｅ  Ｐｒｏｖｉｄｅｒ  Ｎｅｔｗｏｒｋ（加入者サービスプロバイダネットワーク））が単一のＳＳＩＤを使って広告されることが益々広がってきている。さらに、サービスプロバイダのグループは、互いのクライアントに対してローミングサービスを提供するため、ローミング共同事業体を形成し、相互にローミング契約を結ぶこともある。諸ローミング共同事業体は、ＩＥＥＥによって割り当てられる組織識別子（ＯＩ：Ｏｒｇａｎｉｚａｔｉｏｎ  Ｉｄｅｎｔｉｆｉｅｒ）によって識別される。ＯＩは多くの場合２４ビットの長さであるが、３６ビット（ＯＵＩ−３６）であってもよい。ＯＩは、世界的に一意であり、運営者、製造者、または他の組織を識別する。かかる場合、ＳＴＡにとって、ローミング共同事業体へのアクセスを提供するＡＰを検出することがより有用であり得る。しかして、図６中の短縮ＳＳＩＤフィールド６４０の代わりに、ＡＰを介してアクセス可能なローミング共同事業体を表す２４ビットもしくは３６ビットのＯＩを含むことが可能なＯＩサブフィールド８２０を、ワイヤレスネットワーク識別子として用いることができる。ＴＤ制御フィールド中のＯＩ長さビット８１２を使って、２４ビットＯＩと３６ビットＯＩとを区別することが可能である。
【００２５】
図９は、より迅速なローミングを行うため、ＳＴＡによって本開示の高速スマートスキャニングを使用することが可能な、例示のローミングシナリオ９００を示す。本シナリオは、４つのＢＳＳ、ＢＳＳ９１０、ＢＳＳ９２０、ＢＳＳ９３０、およびＢＳＳ９４０を示しており、各ＢＳＳそれぞれのＡＰ、ＡＰ１  ９１２、ＡＰ２  ９２２、ＡＰ３  ９３２、およびＡＰ４  ９４２は、それぞれ、プライマリ２０ＭＨｚチャネルＣＨ３６、ＣＨ４０、ＣＨ４４、およびＣＨ４８上で動作している。ＢＳＳ９１０、ＢＳＳ９２０、およびＢＳＳ９３０は一緒にＥＳＳ１を形成し、一方、ＢＳＳ９４０はＥＳＳ２の一部であり、両方のＥＳＳは、企業ネットワークなどマネージドネットワークの一部である。ＳＴＡ９５０（これは図１中のＳＴＡ１３０（ＷＵＲ対応可能スマートフォン）であってよい）が、軌道９５２に沿ってＢＳＳ９１０から離れ、ＢＳＳ９２０の方に移動しているのが示されている。ＳＴＡ９５０が、ポイントＡ９５４で、たまたま、そのＰＣＲ１３２上でＡＰ１  ９１２と（例えばＶＯＩＰ電話で）進行中のデータ通信に従事していた場合、ＳＴＡ９５０は、例えば、そのＭＣＳ（Ｍｏｄｕｌａｔｉｏｎ  ａｎｄ  Ｃｏｄｉｎｇ  Ｓｃｈｅｍｅ（変調および符号化スキーム））の急激な落下またはパケット不良および再送信の急激な増加など、ＡＰ１  ９１２からの受信品質の大きな変化に気付くかもしれない。これは、ＳＴＡ９５０が高速スマートスキャニング手順を開始することをトリガする可能性があり、これにより、ＳＴＡ９５０は、近隣のＡＰからのＷＵＲディスカバリーフレームをスキャンするため、そのＷＵＲｘ１３４を作動する。あるいは、ＳＴＡ９５０が、この期間の間、そのＰＣＲ１３２をドーズ状態にするかまたはオフにしていた場合、ＳＴＡ９５０は、例えばＷＵＲビーコンなど、いくつかの自分のＡＰからの定期的に放送されるＷＵＲフレームの受信品質の低下を、高速スマートスキャニング手順を開始するトリガとして同様に用いることが可能である。このシナリオ９００は、図１０中の時間ドメインのシーケンス１０００を使ってよりうまく説明される。ポイントＡ９５４で、ＳＴＡ９５０は、高速スマートスキャニング手順１０４０を開始する。この時点で、ＳＴＡ９５０がそれを行うためのハードウェア能力を有していればＰＣＲ１３２上でのデータ交換１０５０を継続することができ、そうでなければ、ＰＣＲ１３２をオフにすることができる。この例において、ＡＰ１  ９１２は、ディスカバリーチャネルＤ−ＣＨ１  １０１０上でそのＷＵＲディスカバリーフレーム１０４２を送信し、ＡＰ２  ９２２およびＡＰ３  ９３２は、ディスカバリーチャネルＤ−ＣＨ２  １０１２上でそれらのＷＵＲディスカバリーフレーム１０４４および１０４６を送信し、また、ＡＰ４  ９３４は、ディスカバリーチャネルＤ−ＣＨ３  １０１４上でそのＷＵＲディスカバリーフレーム１０４８を送信している。これらのＷＵＲディスカバリーフレームは、図６中のフレーム６００のフォーマット、または図８中のフレーム８００のフォーマットを使用してよい。また、これは企業ネットワークのシナリオなので、ＡＰ１  ９１２が、ＳＴＡ９５０に既に近隣ＡＰのレポートを提供していることもあ��得る。かかる目的のために、ビーコンフレーム中に含まれた図１４中の縮約近隣レポートエレメント１４００、プローブ応答フレーム、またはＦＩＬＳ（Ｆａｓｔ  Ｉｎｉｔｉａｌ  Ｌｉｎｋ  Ｓｅｔｕｐ（高速初期リンクセットアップ）ディスカバリーフレームを用いることが可能である。縮約近隣レポートエレメント１４００は、１つ以上の近隣ＡＰ情報フィールド１４１０を包含し、各フィールドは１つ以上の近隣ＡＰに関する情報を提供する。オペレーティングクラスフィールド１４１４およびチャネル番号フィールド１４１６は合わさって、近隣ＢＳＳのプライマリチャネルを知らせ、一方、ＴＢＴＴ情報セット１４１８は、当該チャネル上で作動している１つ以上の近隣ＡＰに関する情報を包含する。ＴＢＴＴ（Ｔａｒｇｅｔ  Ｂｅａｃｏｎ  Ｔｒａｎｓｍｉｓｓｉｏｎ  Ｔｉｍｅ（ターゲットビーコン送信時間））、ＢＳＳＩＤ、および短縮ＳＳＩＤなどの情報の他に、本開示によれば、ＴＢＴＴ情報セットは、近隣ＡＰがそのＷＵＲフレーム中で使っているＴＸＩＤ（ｔｒａｎｓｍｉｔ  ＩＤ（送信ＩＤ））を知らせるために、ＷＵＲ  ＴＸＩＤフィールド１４２２を含んでいる。かかる中央制御されたネットワークにおいては、ＷＵＲディスカバリーフレーム中のＷＵＲ  ＴＸＩＤフィールドと、対応する近隣レポートとを相互参照することによって、同じ情報を取得できる場合があるので、ＷＵＲディスカバリーフレームからＰＣＲチャネルフィールドおよびネットワーク識別子（短縮ＳＳＩＤまたはＯＩフィールド）を省くことが可能である。
【００２６】
高速スマートスキャニング手順１０４０の終了点で、ＳＴＡ９５０は、全４つのＷＵＲディスカバリーフレームの受信を完了したことになり、必要な場合近隣レポートとの相互参照とともに、それらの内容に基づいて、ＳＴＡ９５０は関心のあるいくつかのＡＰを選抜しリストすることができる。例えば、ＥＳＳ１のＳＳＩＤ（短縮ＳＳＩＤに変換されている）に基づいて、ＳＴＡ９５０は、ＡＰ２  ９２２およびＡＰ３  ９３２をローミングのための２つの候補ＡＰとして選抜しリストすることが可能である。また、ＳＴＡ９５０は、選抜リストの決定を行うために、例えば、ＷＵＲディスカバリーフレームのＲＳＳＩ（Ｒｅｃｅｉｖｅ  Ｓｉｇｎａｌ  Ｓｔｒｅｎｇｔｈ  Ｉｎｄｉｃａｔｏｒ（受信信号強度インジケータ））などの追加の情報を用いることも可能である。ポイントＢ９５６で、ＳＴＡ９５０は、受信されたＷＵＲディスカバリーフレームから各ＡＰのプライマリＰＣＲチャネルなどの必要な情報を抽出し、そのＰＣＲ１３２を使ってアクティブスキャン手順１０６０を開始し、プローブ要求フレーム１０６２および１０６６を、チャネルＣＨ４０  １０３２およびＣＨ４４  １０３４上でＡＰ２  ９２２およびＡＰ３  ９３２にそれぞれ送信する。ＳＴＡ９５０は、その現在のＥＳＳ（すなわちＥＳＳ１）に属するＢＳＳへの参入に関心があるので、該ＳＴＡは、プローブ要求フレーム１０６２および１０６６のＳＳＩＤフィールドを、ＥＳＳ１のＳＳＩＤに設定し、引き続いてＡＰ２  ９２２およびＡＰ３  ９３２から、それぞれ、プローブ応答フレーム１０６４および１０６８を受信する。プローブ応答フレームは、ＷＵＲディスカバリーフレームと比べて相当に多くの情報を含むことができるので、ＳＴＡ９５０は、例えば、プローブ応答フレーム１０６４および１０６８中に含まれているＢＳＳ負荷情報に基づいて、ローミングのためそれが選好するＡＰとしてＡＰ２  ９２２を選択し、ＡＰ２  ９２２とのリンクセットアップ手順１０７０（認証、関連付け）を実行する。ポイントＣ９５８で、ＡＰ１  ９１２との通信リンクを失う前に、ＳＴＡ９５０はそのＰＣＲ１３２を介してＡＰ２  ９２２とデータ交換１０８０を開始することが可能である。バックグラウンドで高速スマートスキャニング手順１０４０を行って候補ＡＰを選抜しリストすることができることにより、アクティブスキャン手順１０６０のために必要な時間を大幅に削減し、迅速なローミングを可能にすることができることがわかる。
【００２７】
図１１は、より迅速な初期リンクセットアップまたはローミングを行うため、ＳＴＡ１１４０が本開示の高速スマートスキャニングを用いることが可能な、別の例示のシナリオ１１００を示す。本シナリオは、３つのオーバーラップするＢＳＳ、ＢＳＳ１１１０、ＢＳＳ１１２０、およびＢＳＳ１１３０を示しており、各ＢＳＳそれぞれのＡＰ、ＡＰ１  １１１２、ＡＰ２  １１２２、およびＡＰ３  １１３２は、それぞれ、プライマリ２０ＭＨｚチャネルＣＨ３６、ＣＨ４０、およびＣＨ４４上で動作している。これら３つのＢＳＳは、相異なるサービスプロバイダに属するホットスポットネットワークであってよい。ＳＴＡ１１４０（これは図１中のＳＴＡ１３０（ＷＵＲ対応可能スマートフォンであってよい）は、セルラ接続を用いていてよく、どのＡＰにも接続されておらず、そのＰＣＲ１３２が、節電のためドーズモードであるか、さらにはオフにされていてよい。このシナリオ１１００は、図１２中の時間ドメインのシーケンス１２００を使ってよりうまく説明される。このシナリオにおいて、ＳＴＡ１１４０は、セルラプロバイダによって設けられた、そのデータ通信の一部または全部をオフロードすることのできるＷＬＡＮホットスポットを検出するため、ＷＵＲ高速スマートスキャニングを周期的に行うことが可能である。一例として、時間Ａ１２０２で、ＳＴＡ１１４０は、高速スマートスキャニング手順１２４０を開始し、ＡＰ１  １１１２、ＡＰ２  １１２２、およびＡＰ３  １１３２によってそれぞれ送信された３つのＷＵＲディスカバリーフレーム１２４２、１２４４、および１２４６を収集する。これらＷＵＲディスカバリーフレームは、図８中のフレーム８００のフォーマットを用いることができ、各ＡＰは、当該ＡＰを介してアクセスが可能なローミング共同事業体の組織識別子（ＯＩ）を広告している。上記に換えて、これらＷＵＲディスカバリーフレームは図６中のフレーム６００のフォーマットを用いることも可能で、各ＡＰは、そのホットスポットの短縮ＳＳＩＤを広告する。このシナリオ１１００では、これら３つのＢＳＳは、相異なるホットスポットに属している可能性があるので、これらＡＰにとって、近隣レポートを集めるのがより困難となり、これらＡＰが近隣レポートを提供できないこともある。さらに、ＳＴＡ１１４０は、セルラプロバイダのＷＬＡＮホットスポットのワイヤレス識別子（ＯＩもしくはＳＳＩＤ）の事前知識を有せず、ＳＴＡ１１４０が、ＷＵＲディスカバリーフレームの内容に基づいて候補ＡＰを選抜しリストすることをより困難にすることがある。結果として、時間Ｂ１２０４に、ＳＴＡ１１４０は、アクティブスキャン手順１２６０を開始し、それぞれ、チャネルＣＨ３６  １２３０、ＣＨ４０  １２３２、およびＣＨ４４  １２３４上で、プローブ要求フレーム１２６２、１２６６、および１２７０を送信する。ＳＴＡ１１４０は、応答を、自分がＷＵＲディスカバリーフレームを受信したＡＰからのものだけに限定するため、プローブ要求フレーム１２６２、１２６６、および１２７０中で、関心のある短縮ＳＳＩＤを含む、図１５中の短縮ＳＳＩＤエレメント１５００か、もしくは関心のあるＯＩを含む、図１６中のＯＩエレメント１６００を含んでよい。プローブ要求フレームを受信したＡＰは、プローブ応答フレームを返信するかどうかを決める際に、プローブ要求フレーム中に含まれた短縮ＳＳＩＤエレメント１５００またはＯＩエレメント１６００に基づいてさらなるフィルタリングを行うことができ、当該ＡＰを介してアクセス可能な短縮ＳＳＩＤまたはＯＩを含んでいるプローブ要求フレームだけに応じてプローブ応答フレームを送信する。これは、ＡＰによって生成されるプローブ応答の数を削減するための助力となろう。その後、ＳＴＡ１１４０は、ＡＰ１  １１１２、ＡＰ２  １１２２、およびＡＰ３  １１３２から、それぞれ、プローブ応答フレーム１２６４、１２６８、および１２７２を受信し、受信したプローブ応答フレームに基づいてＡＰ３を選択する。次いで、ＳＴＡ１１４０は、ＡＰ３  １１３２とのリンクセットアップ手順の実行に進み、時間Ｃ１２０６までに、ＷＬＡＮネットワークにデータ通信１２８０をオフロードすることができることになる。
【００２８】
図１３は、例示のシナリオ１１００のわずかに異なる時間ドメインシーケンス１３００を示す。高速スマートスキャニング手順１２４０は図１２のものと同じであるが、但し、ＳＴＡ１１４０が、ＰＣＲ１３２およびＷＵＲｘ１３４の両方を同時に受信するハードウェア機能を有する場合、この時間の間に、ＳＴＡ１１４０は、ＰＣＲ１３２を使って該３つのＷＵＲディスカバリーフレームとは違うチャネルに対するＰＣＲパッシブスキャン１３５０を行うことも可能である。この時間の間に、該ＳＴＡ１１４０は、ＷＵＲディスカバリーフレームを送信していない可能性のあるＡＰを含め、他の近隣ＡＰからのビーコンフレームを収集することができ、また、ＡＰ１  １１１２からビーコンフレーム１３５２を受信することもできる。ＡＰ１  １１１２からのビーコンフレームを既に受信していれば、ＳＴＡ１１４０は、その後のＰＣＲアクティブスキャン１３６０の過程でＡＰ１  １１１２をスキップし、ＡＰ２  １１２２およびＡＰ３  １１３２だけを探査することが可能となる。ＡＰ２  １１２２およびＡＰ３  １１３２から、それぞれ、プローブ応答１３６２および１３６４を受信すると、ＳＴＡ１１４０は、これらプローブ応答フレーム、およびビーコンフレーム１３５２を使って、リンクセットアップを開始するためのＡＰの選択を行うことができる。
【００２９】
前段で、図１１中に表されたネットワークなど、アンマネージドワイヤレスネットワークでは、ＳＴＡ１１４０がＡＰからネットワークレポートを得ることが困難であり得ると述べた。さらに、電力節減のため、標準的なＷＵＲ  ＳＴＡは、非常に長期のドーズ状態に、すなわちそのＰＣＲが長期に亘りドーズ状態にさらにはオフ状態に留まる可能性がある。かかる長期のドーズ状態の過程では、たとえＳＴＡがそのＡＰから近隣レポートを以前に受信していたとしても、そのレポートは、陳旧化しているかもしれない。ＳＴＡ１１４０が、スマートスキャニングだけに基づいて近隣レポートを集めるための別の手順１７００が、図１７に示されている。ＷＵＲｘを使うバックグラウンドスキャンの過程で、ＳＴＡ１１４０は、他の時間では高速スマートスキャニング手順７００を行いながら、時折、図４中のスマートスキャニング手順４００を行うことができる。例えば、５回の高速スキャンの後ごとに、フルスマートスキャニングを行ってもよい。ＡＰからの適切な近隣レポートが存在しない状況では、フルスマートスキャニング１７１２および１７１６を使って簡易的近隣ＡＰレポートを集めることが可能である。例えば、フルスマートスキャニング１７１２の過程で、ＳＴＡ１１４０は、各々のＷＵＲディスカバリーチャネルの上でＷＵＲディスカバリーフレームを送信しているＡＰの、カウント、短縮ＳＳＩＤおよびＴＸＩＤを記録することができる。引き続いて、たとえＷＵＲディスカバリーフレームが、図６中の近隣ＡＰカウントフィールド６５０または図８中の８１４を含んでいなくても、ＳＴＡ１１４０は、フルスマートスキャニング１７１２の過程で集められた近隣ＡＰカウントを使用して、一連の高速スマートスキャニング１７１４を行うことが可能である。ＳＴＡ１１４０は、高速スマートスキャニング１７１８の過程で既知のＡＰからＷＵＲディスカバリーフレームを首尾よく受信するまで、この手順をバックグラウンドで途切れなく実施することができ、その後で、自分のＰＣＲをオンにし、ＰＣＲスキャンおよびリンクセットアップ手順１７２２を開始することが可能である。
【００３０】
これまで、スマートスキャニング手順の過程におけるＷＵＲディスカバリーフレームの使用に焦点を当ててきたが、ＷＵＲ  ＳＴＡがスマートスキャニングを実行している間に、該ＳＴＡが、ＷＵＲビーコンフレームなど、他の放送ＷＵＲフレームをさらに受信したりすることが起こるかもしれない。ＷＵＲビーコンフレームの主目的は、ＡＰに関連付けられたＷＵＲ  ＳＴＡにおける、そのＡＰのクロックとのクロック同期を維持することと意図されているが、ＷＵＲビーコンフレームは、スマートスキャニング手順を促進し、長期のドーズ状態の間の近隣ＡＰレポートを集めることにもさらに使用することができる。ＷＵＲビーコン１８００のフレームフォーマットが図１８に示されている。ＷＵＲビーコンは、放送ＷＵＲフレームとして意図されており、図２に示された一般的パケットフォーマットに準じている。フレーム制御フィールド１８０２のタイプフィールド１８０４はＷＵＲビーコンを示す。但し、ＷＵＲビーコンは、ＣＬ（Ｃｏｎｓｔａｎｔ  Ｌｅｎｇｔｈ（固定長））ＷＵＲフレームとされていて、フレームボディフィールドを含まないので、図２中の長さフィールド２６４は、ＷＵＲビーコンフレームでは他の目的に転用されてよい。長さフィールド２６４の最初の２ビットは、ＡＰによってそのＷＵＲディスカバリーフレームを送信するために用いられるＷＵＲディスカバリーチャネルを示す、Ｄ−ＣＨインデックスフィールド１８０６のために使うことができる。ＷＵＲビーコンは、ＷＵＲディスカバリーフレームに比べて相当に高い頻度で送信することが可能なので、スマートスキャニングの間、この情報は、アドレスフィールド１８１０中に含まれるＴＸＩＤ１８１２とともに、ＷＵＲ  ＳＴＡによってＷＵＲディスカバリーフレームの収集を促進するために用いられてよい。例えば、関心のある特定のＡＰからのＷＵＲディスカバリーフレームを探しているＷＵＲ  ＳＴＡは、そのＡＰからのＷＵＲビーコン受信を受けてスキャニングを停止し、そのＷＵＲビーコン中に示されたＷＵＲディスカバリーチャネルに切替えることができる。長さフィールド２６４の次の２ビットは、ＡＰのＴＳＦのさらに高位の２ビットを含むためのＰ−ＴＳＦ−Ｈフィールド１８０８に使われてよく、Ｐ−ＴＳＦ−Ｈフィールド１８０８をＰ−ＴＳＦフィールド１８１４と組み合せることによってＷＵＲビーコンの部分的時間スタンプ範囲を増加できる。また、図９中のシナリオ９００に表された企業ＷＬＡＮネットワークなど、マネージドネットワークの場合にあっては、ＷＵＲ  ＳＴＡが近隣ＡＰの最新のレポートを有している場合、或るＡＰからＷＵＲビーコンを受信したならば、そのＡＰのＴＸＩＤ１８１２を、例えば図１４中の縮約近隣ＡＰレポートエレメント１４００などの近隣ＡＰレポートと相互参照することによって、ＷＵＲ  ＳＴＡは、ＰＣＲスキャンおよびリンクセットアップ手順を開始するために必要な当該ＡＰの詳細を把握することができ、そのＡＰからのＷＵＲディスカバリーフレームを待つ必要はない。
【００３１】
（実施の形態２）
ＷＵＲディスカバリーフレーム１９００の別のフレームフォーマットが図１９に示されている。ＷＵＲディスカバリーフレーム１９００は、図６のＷＵＲディスカバリーフレーム６００と同じ構造に従っているが、以下が異なる。
１）当該フレームを送信しているＡＰが代表しているワイヤレスネットワークを示すために、ＨＥＳＳＩＤ（Ｈｏｍｏｇｅｎｏｕｓ  Ｅｘｔｅｎｄｅｄ  Ｓｅｒｖｉｃｅ  Ｓｅｔ  Ｉｄｅｎｔｉｆｉｅｒ（同種構成拡張サービスセット識別子））フィールド１９０２が用いられる。ＨＥＳＳＩＤフィールド１９０２は、全てが同じ外部ネットワークへのアクセスを提供するＢＳＳのグループである同種構成ＥＳＳを識別する。ＨＥＳＳＩＤとして使われる値は、同種構成ＥＳＳ内のＡＰ群の１つのＢＳＳＩＤであり、ＭＡＣアドレスの形（６オクテット）を取る。ＨＥＳＳＩＤは、ワイヤレスネットワークの世界的に一意な識別子であり、複数のオペレータが同じＳＳＩＤを用いているリスクのあるアンマネジドネットワークでは特に、ＳＳＩＤよりも選好され得る。
２）近隣ＡＰ情報フィールド１９１０はフレームボディの中に含まれ、全てのＷＵＲディスカバリーチャネル中の、ＷＵＲディスカバリーフレームを送信しているＡＰのカウントを示す。近隣ＡＰ情報フィールド１９１０は、各々のＷＵＲディスカバリーチャネル上の個別の近隣ＡＰのカウントから構成される。例えば、３つの定義されたＷＵＲディスカバリーチャネルがある場合、ＣＨ１近隣ＡＰカウントフィールド１９１２は、同じディスカバリーチャネル（すなわちＷＵＲディスカバリーチャネル１）上でＷＵＲディスカバリーフレームを同様に送信している近隣ＡＰの数を示す。同様に、ＣＨ２近隣ＡＰカウントフィールド１９１４およびＣＨ３近隣ＡＰカウントフィールド１９１６は、それぞれ、ＷＵＲディスカバリーチャネル２および３上でＷＵＲディスカバリーフレームを送信している近隣ＡＰの数を示す。各ＷＵＲディスカバリーチャネル上でＷＵＲディスカバリーフレームを送信しているＡＰについての知識を有する主な利点は、ＷＵＲ  ＳＴＡが、或る特定のチャネル上でいかなるＷＵＲディスカバリーフレームも送信されていないことを前もって知っている場合、そのＳＴＡは、高速スマートスキャニングの過程でその特定のチャネルを全面的にスキップし、スキャン遅延をさらに低減することができることである。
【００３２】
近隣ＡＰ情報フィールド１９１０の使用は、図２０中の高速スマートスキャニング手順２０００を通してよりうまく説明される。この例では、ＷＵＲディスカバリーチャネルＤ−ＣＨ１  ２０１０上で送信されている１つのＷＵＲディスカバリーフレーム２０１４があり、３つのＷＵＲディスカバリーフレーム２０３４、２０３６、および２０３８がＷＵＲディスカバリーチャネルＤ−ＣＨ３  ２０３０上で送信されており、他方、ＷＵＲディスカバリーチャネルＤ−ＣＨ２  ２０２０上にはＷＵＲディスカバリーフレームはない。ＷＵＲディスカバリーフレーム２０１４のＣＨ１近隣ＡＰカウントサブフィールド１９１２は０を示し、ＣＨ２近隣ＡＰカウントサブフィールド１９１４もまた０を示し、他方、ＣＨ３近隣ＡＰカウントサブフィールド１９１６は３を示している。ＷＵＲディスカバリーフレーム２０１４を受信したＷＵＲ  ＳＴＡは、送信しているＡＰに関するその関連情報を保存し、同時に、該ＳＴＡは、ＣＨ１近隣ＡＰカウントサブフィールド１９１２の内容を通してディスカバリーチャネルＤ−ＣＨ１  ２０１０上には他のＷＵＲディスカバリーフレームは予期されないことを知る。さらに、ＳＴＡは、ＣＨ２近隣ＡＰカウントサブフィールド１９１４の内容を通してディスカバリーチャネルＤ−ＣＨ２  ２０２０上にも同じく他のＷＵＲディスカバリーフレームが予期されないことを知る。しかして、ＳＴＡは、ＷＵＲスキャン持続時間の終了までＤ−ＣＨ１  ２０１０のスキャニングを続ける必要はなく、ＷＵＲスキャン窓２０１２を短縮し、ディスカバリーチャネル２０２０全体をスキップして、直ちにディスカバリーチャネルＤ−ＣＨ３  ２０３０に切替え、ＷＵＲスキャン窓２０３２を開始することができる。ＳＴＡが全３つのＷＵＲディスカバリーフレーム２０３４、２０３６、および２０３８を受信したならば、該ＳＴＡは、高速スマートスキャニング手順２０００を終了することができる。
【００３３】
（アクセスポイントの構成）
図２１は、本開示に記載の高速スマートスキャニングを実装する例示のＡＰのＰＣＲ２１００のブロック図である。このＡＰは、図１中のＡＰ１１０であってよい（ＰＣＲ２１００は図１中のＰＣＲ１１２であってよい）。ＰＣＲ２１００は、アンテナ２１０２に接続されており、８０２．１１信号の送信および受信のため、およびＷＵＲ  ＰＰＤＵの送信のために使われる。ＰＣＲ２１００は、ＲＦ／アナログフロントエンド２１１０、ＰＨＹ処理回路２１２０、およびＭＡＣ処理回路２１３０から成る。
【００３４】
ＲＦ／アナログフロントエンド２１１０は、アナログ信号をアンテナ２１０２へ／から伝達する役割を担い、自動利得制御（ＡＧＣ：Ａｕｔｏｍａｔｉｃ  Ｇａｉｎ  Ｃｏｎｔｒｏｌ）、ローパスフィルタ（ＬＰＦ：Ｌｏｗ  Ｐａｓｓ  Ｆｉｌｔｅｒ）、アナログ／デジタルコンバータ（ＡＤＣ：Ａｎａｌｏｇ−ｔｏ−Ｄｉｇｉｔａｌ  Ｃｏｎｖｅｒｔｅｒ）などのサブコンポーネントを含むことができる。
【００３５】
ＰＨＹ処理回路２１２０は、ＰＨＹレイヤ信号を処理する役割を担い、ＯＦＤＭモジュレータ／デモジュレータ２１２２および周波数チューナ２１２４からさらに成る。ＯＦＤＭモジュレータ／デモジュレータ２１２２は、送信信号をＯＦＤＭ変調し、受信ＯＦＤＭ信号を復調する役割を担う。送信側では、ＯＦＤＭモジュレータ／デモジュレータ２１２２は、８０２．１１ＰＰＤＵへのＯＦＤＭ変調を適用するのに加えて、選択されたＯＦＤＭサブキャリヤを埋めることによってＷＵＲ信号を生成するためにも用いられる。周波数チューナ２１２４は、伝送周波数を送信または受信のために適正なチャネルに設定するために用いられ、例えば、ＰＣＲ信号の送信または受信のためＰＣＲチャネルに、ＷＵＲディスカバリーフレームを含むＷＵＲ  ＰＰＤＵの送信のためＷＵＲディスカバリーチャネルに、また、それ以外のＷＵＲフレームタイプを運ぶＷＵＲ  ＰＰＤＵＳの送信のためＷＵＲオペレーティングチャネルに設定される。
【００３６】
ＭＡＣ処理回路２１３０は、再送、フラグメンテーション、アグリゲーションなど、様々なＭＡＣ関連の処理をする役割を担い、該回路は、さらにＷＵＲフレームジェネレータ／スケジューラ２１３２および近隣ＡＰレポートジェネレータ２１３４からさらに成る。ＷＵＲフレームジェネレータ／スケジューラ２１３２は、ＡＰによって送信されるＷＵＲ  ＰＰＤＵ中に含まれるペイロードの内容を生成し、それらを適正な時間に送信するようスケジュールする役割を担う。近隣ＡＰレポートジェネレータ２１３４は、中央コントローラからの入力に基づいてまたはＡＰ自身のチャネルスキャニング等を通して、近隣ＡＰレポートを集める役割を担う。また、近隣ＡＰレポートジェネレータ２１３４は、チャネル上でＷＵＲディスカバリーフレームを送信している近隣ＡＰの数である近隣ＡＰカウントを生成する役割も担う。
【００３７】
図２２は、ＡＰ２２００のより詳細なブロック図であり、このＡＰは図１中のＡＰ１１０であってよい。ＡＰ２２００は、メモリ２２２０に接続された中央処理ユニット（ＣＰＵ：Ｃｅｎｔｒａｌ  Ｐｒｏｃｅｓｓｉｎｇ  Ｕｎｉｔ）２２３０、補助ストレージ２２４０、１つ以上のワイヤレス通信インターフェース２２５０、および他の有線通信インターフェース２２７０を含む。補助ストレージ２２４０は、関連する命令コード、データなどを恒久的に格納するために使われる不揮発性のコンピュータ可読ストレージ媒体とすることができる。
【００３８】
スタートアップ時に、ＣＰＵ２２３０は、実行のため命令コードおよび関連データを揮発性メモリ２２２０にコピーすることが可能である。この命令コードは、ＡＰ２２００のオペレーションのため必要な、オペレーティングシステム、ユーザアプリケーション、デバイスドライバ、実行コードなどであってよい。命令コードのサイズ、しかして、補助ストレージ２２４０およびメモリ２２２０両方のストレージ容量は、図２４中のＳＴＡ２４００のものよりも相当に大きくすることができる。
【００３９】
また、ＡＰ２２００は、電源２２１０を含むことができ、多くの場合、これは、商用電源であるが、場合によっては、例えば自動車用バッテリなど、なんらかの大容量バッテリとすることも可能である。有線通信インターフェース２２７０は、イーサネットインターフェース、または電力線インターフェース、または電話回線インターフェースなどであってよい。
【００４０】
ワイヤレス通信インターフェース２２５０は、セルラ通信のためのインターフェース、または、ジグビーなど近距離通信プロトコルのためのインターフェースを含んでもよく、またはＷＬＡＮインターフェースであってよい。ワイヤレス通信インターフェース２２５０は、ＭＡＣモジュール２２５２およびＰＨＹモジュール２２６０をさらに含むことができる。ＡＰのＭＡＣモジュール２２５２は、図２４中のＳＴＡ２４００のものよりも大幅に複雑であってよく、多くのサブモジュールを含んでよい。サブモジュールの中でも特に、ＭＡＣモジュール２２５２は、ＷＵＲフレームジェネレータ／スケジューラ２２５８、ＰＣＲペイロードジェネレータ２２５４、および近隣ＡＰレポートジェネレータ２２５６で構成することができる。ＰＨＹモジュール２２６０は、ＭＡＣモジュールデータとその送信／受信信号との間の変換の役割を担い、ＯＦＤＭモジュレータ／デモジュレータ２２６２および周波数チューナ２２６４からさらに成る。また、ワイヤレスインターフェースは、ＰＨＹモジュールを介して、ワイヤレス媒体との間のワイヤレス通信信号の実際の送信／受信を行う役割を担う１つ以上のアンテナ２２０２に接続される。
【００４１】
本開示によるＡＰは、明瞭化のため図２１および図２２中に示されていない多くの他のコンポーネントを含むことが可能である。本開示に最も関係するコンポーネントだけが示されている。
【００４２】
（ＳＴＡの構成）
図２３は、８０２．１１ＯＦＤＭ信号を送信および受信するためのＰＣＲ２３３０とＷＵＲ  ＰＰＤＵを受信するためのＷＵＲ２３１０との、２つの別個の無線部を備えるＷＵＲ  ＳＴＡ２３００を示す。
【００４３】
ＷＵＲ２３１０は、アンテナ２３０２からアナログ無線信号を受信する役割を担うＲＦ／アナログフロントエンド２３１２と、ＷＵＲ  ＰＰＤＵのプリアンブル部分を検出し復号する役割を担うＷＵＲプリアンブル検出モジュール２３１４と、ウェイクアップ信号のペイロード部分を復号し処理する役割を担うＷＵＲパケット復号／処理モジュール２３１６と、本開示で提示された高速スマートスキャニング手順に対する役割を担うＷＵＲスマートスキャンモジュール２３２０と、からさらに成る。ＷＵＲスマートスキャンモジュール２３２０は、スマートスキャニングの間、ＷＵＲｘの受信周波数を適正なＷＵＲディスカバリーチャネルに設定する役割を担う周波数チューナ２３２２と、スマートスキャニングの過程で検出されたＡＰの数のカウントを保持するＷＵＲ  ＡＰカウンタ２３２４と、スマートスキャニングの過程で検出されたＡＰについての関連情報を抽出するＷＵＲ  ＡＰ情報モジュール２３２６と、からさらに成る。また、ＷＵＲスマートスキャンモジュール２３２０は、近隣ＡＰ情報２３２８のデータベースを保持し、該データベースは、ＷＵＲｘ２３１０自体によって生成されていてよく、またはスマートスキャニングの過程で使用するためにＰＣＲ２３３０によって提供されていてもよい。
【００４４】
ＰＣＲ２３３０は、ＲＦ／アナログフロントエンド２３３２、ＰＨＹ処理回路２３４０、ＭＡＣ処理回路２３４４、およびＰＣＲスキャンモジュール２３５０から成る。ＲＦ／アナログフロントエンド２３３２は、アナログ信号をアンテナ２３０２へ／から伝達する役割を担い、自動利得制御（ＡＧＣ）、ローパスフィルタ（ＬＰＦ）、アナログ／デジタルコンバータ（ＡＤＣ）などのサブコンポーネントを含んでよい。ＰＨＹ処理回路２３４０はＰＨＹレイヤ信号を処理する役割を担い、該回路は、送信ＯＦＤＭ信号の変調または受信ＯＦＤＭ信号の復調の役割を担うＯＦＤＭモジュレータ／デモジュレータ２３４２からさらに成る。ＰＣＲスキャンモジュール２３５０は、ＰＣＲを用いてチャネルのスキャンを行う役割を担い、ＰＣＲスキャンの過程でＰＣＲの受信周波数を適正なチャネルに設定する役割を担う周波数チューナ２３５２と、スキャン対象のチャネルのリストおよび目的短縮ＳＳＩＤなど、ＷＵＲスマートスキャンモジュール２３２０からＰＣＲに送られてきた、スキャンに関連する他の情報を包含するスキャン情報２３５４とからさらに成る。
【００４５】
図２４は、本開示に記載の高速スマートスキャニングを実装する、図１中のＳＴＡ１３０またはＳＴＡ１４０であってよい、例示のＳＴＡ２４００の詳細なブロック図である。ＳＴＡ２４００は、メモリ２４２０、補助ストレージ２４４０、１つ以上のＰＣＲインターフェース２４５０、およびＷＵＲインターフェース２４６０に接続された中央処理ユニット（ＣＰＵ）２４３０から成る。ＰＣＲインターフェース２４５０およびＷＵＲインターフェース２４６０の両方は、同じワイヤレスアンテナ２４０２に接続されている。補助ストレージ２４４０は、不揮発性のコンピュータ可読ストレージ媒体であってよく、関連する命令コード、データなどを恒久的に格納するために使用される。
【００４６】
スタートアップ時に、ＣＰＵ２４３０は、実行のためこれら命令コードおよび関連データを揮発性メモリ２４２０にコピーすることができる。この命令コードは、ＳＴＡ２４００のオペレーションのため必要な、オペレーティングシステム、ユーザアプリケーション、デバイスドライバ、実行コードなどであってよい。また、ＳＴＡ２４００は、例えば、リチウムイオンバッテリもしくはコインセルバッテリなどの電源２４１０を含んでよく、または商用電源とすることも可能である。ＰＣＲインターフェース２４５０は、セルラ通信用のインターフェース、もしくはジグビーなど短距離通信プロトコル用のインターフェースを含むことができ、またはこれはＷＬＡＮインターフェースであってもよい。
【００４７】
ＰＣＲインターフェース２４５０は、ＭＡＣモジュール２４５２とＰＨＹモジュール２４５４とから成り、ＰＨＹモジュール２４５４は、ＯＦＤＭモジュレータ／デモジュレータ２４５６およびＰＣＲスキャンモジュール２４５８からさらに成る。
【００４８】
ＷＵＲインターフェース２４６０は、アンテナ２４０２からアナログ無線信号を受信する役割を担うＲＦ／アナログフロントエンド２４６２、ウェイクアップ信号のプリアンブル部分を検出し復号する役割を担うＷＵＲプリアンブル検出モジュール２４６４、ウェイクアップ信号のペイロード部分を復号し処理する役割を担うＷＵＲパケット復号／処理モジュール２４６６、本開示に提示された高速スマートスキャニング手順の役割を担うＷＵＲスマートスキャンモジュール２４６８など、いくつかのサブコンポーネントから成る。また、ＷＵＲインターフェース２４６０は、近隣ＡＰ情報２４７０のデータベースを保持し、できればＷＵＲインターフェースおよびＰＣＲインターフェース２４５０の両方が共通してアクセス可能なメモリ位置に置かれる。
【００４９】
本開示によるＳＴＡは、明瞭化のため図２３または図２４に示されていない多くの他のコンポーネントを含むことができる。本開示に最も関係するコンポーネントだけが示されている。
【００５０】
（実施の形態３）
上記の諸実施形態において、ＷＵＲディスカバリーフレームを送信している近隣ＡＰの情報は、ＷＵＲディスカバリーフレーム自体に含まれ、この情報は、高速スマートスキャニングの過程でスマートスキャン遅延の削減のために使用された。但し、ＷＵＲディスカバリーフレームを送信している近隣ＡＰの情報は、ＷＵＲディスカバリーフレームを使う代わりに８０２．１１情報エレメント中に含むことも可能で、この場合は、ビーコンフレーム、プローブ応答フレームなどのＰＣＲフレームに含まれることになる。図２５は、１つ以上の近隣ＷＵＲ  ＡＰ情報フィールド２５１０を運ぶために使用できる近隣ＷＵＲ  ＡＰ情報エレメント２５００を示しており、近隣ＷＵＲ  ＡＰ情報エレメント２５００はＷＵＲディスカバリーチャネル毎に１つある。各近隣ＷＵＲ  ＡＰ情報フィールド２５１０は、長さが可変であり、ＷＵＲオペレーティングクラスフィールド２５１２と、ＷＵＲディスカバリーチャネル番号フィールド２５１４と、近隣ＷＵＲ  ＡＰカウントフィールド２５１６と、１つ以上の近隣ＷＵＲ  ＡＰフィールド２５２０とから成る。ＷＵＲオペレーティングクラスフィールド２５１２と、ＷＵＲディスカバリーチャネル番号フィールド２５１４とは合わさってＷＵＲディスカバリーチャネルを識別する。近隣ＷＵＲ  ＡＰフィールド２５２０は、ＷＵＲディスカバリーチャネル中でＷＵＲディスカバリーフレームを送信しているＷＵＲ  ＡＰについての情報を含み、一方、近隣ＷＵＲ  ＡＰカウントフィールド２５１６は、近隣ＷＵＲ  ＡＰフィールド２５２０中にリストされたＷＵＲ  ＡＰの数マイナス１を示し、値０は、１つのＷＵＲ  ＡＰがリストされていることを示す。ＷＵＲディスカバリーフレームを送信しているＷＵＲ  ＡＰがいないＷＵＲディスカバリーチャネルは、近隣ＷＵＲ  ＡＰフィールド２５２０から省かれてよい。存在ビットマップフィールド２５３０は、近隣ＷＵＲ  ＡＰフィールド２５２０の様々なサブフィールドの存在／不存在を示しており、例えば、１は対応するサブフィールドが存在することを示し、０はそのサブフィールドが不存在であることを示す。ＰＣＲチャネルビット２５３２は、ＰＣＲオペレーティングクラスサブフィールド２５４０およびＰＣＲチャネル番号サブフィールド２５４２（合わせて当該ＡＰが作動している２０ＭＨｚプライマリチャネルを示す）の存在／不存在を示し、ＢＳＳＩＤビット２５３４は、ＡＰのＢＳＳＩＤを示すＢＳＳＩＤサブフィールド２５４４の存在／不存在を示し、一方、圧縮ＳＳＩＤビット２５３６は、当該ＡＰを介してアクセスが可能なネットワークのＳＳＩＤの圧縮バージョンを表す圧縮ＳＳＩＤサブフィールド２５４６の存在／不存在を示す。近隣ＷＵＲ  ＡＰ情報エレメント２５００を受信したＷＵＲ  ＳＴＡは、高速スマートスキャニング、例えば、図７に表された高速スマートスキャニング手順７００を実行するために、リストされたＷＵＲディスカバリーチャネル上でＷＵＲディスカバリーフレームを送信しているＡＰの情報を用いることが可能である。該ＳＴＡは、各ＷＵＲディスカバリーチャネル上でのチャネルスキャン時間を短縮するため、近隣ＷＵＲ  ＡＰカウントフィールド２５１６を使用することができ、一方、圧縮ＳＳＩＤ２５４６など、近隣ＷＵＲ  ＡＰフィールド２５２０中に含まれているＷＵＲ  ＡＰの情報は、合致するＳＳＩＤを備えるＡＰによって使われているＷＵＲディスカバリーチャネルだけをスキャンすることによって、スキャン待ち時間をさらに低減するために利用することができる。たとえ、近隣ＷＵＲ  ＡＰカウントフィールド２５１６がＷＵＲ  ＡＰ情報エレメント２５００中に含まれていなくても、受信したＷＵＲ  ＳＴＡは、近隣ＷＵＲ  ＡＰフィールド２５２０中にリストされた一意的ＡＰの数に基づいて、この情報を集めることが可能である。図７に示された例に対して、高速スマートスキャニング手順７００を開始する前に、ＷＵＲ  ＳＴＡは、ＳＴＡが関連付けられているＡＰからのビーコンフレームまたはプローブ応答フレーム、または、さらにはＳＴＡの近傍の他のＡＰからのビーコンフレーム、プローブ応答フレーム、ＦＩＬＳフレーム中の近隣ＷＵＲ  ＡＰ情報エレメント２５００を前もって受信しておくことができる。この例において、近隣ＷＵＲ  ＡＰ情報エレメント２５００は、ディスカバリーチャネルＤ−ＣＨ１  ７１０上で１つのＡＰがＷＵＲディスカバリーフレームを送信しており、ディスカバリーチャネルＤ−ＣＨ２  ７２０上で２つのＡＰがＷＵＲディスカバリーフレームを送信しており、ディスカバリーチャネルＤ−ＣＨ３  ７３０上で１つのＡＰがＷＵＲディスカバリーフレームを送信していることを示す。このＷＵＲ  ＳＴＡは、そのＷＵＲｘをディスカバリーチャネルＤ−ＣＨ１  ７１０に同調することによってスマートスキャニングを開始し、ＷＵＲディスカバリーフレーム７１４を受信し、その送信しているＡＰに関する関連情報を保存する。ＳＴＡは、近隣ＷＵＲ  ＡＰ情報エレメント２５００中に含まれた情報に基づいて、ディスカバリーチャネルＤ−ＣＨ１  ７１０上でＷＵＲディスカバリーフレームを送信している他のＡＰがないことを知っている。しかして、このＳＴＡは、ＷＵＲスキャン持続時間の終了までＤ−ＣＨ１  ７１０上でスキャニングを続ける必要はなく、ＷＵＲスキャン窓７１２を短縮し、直ちにディスカバリーチャネルＤ−ＣＨ２  ７２０に切替えＷＵＲスキャン窓７２２を開始してよい。ＷＵＲディスカバリーフレーム７２４を受信して、ＳＴＡは、Ｄ−ＣＨ２  ７２０でもう１つのＡＰがＷＵＲディスカバリーフレームを送信していることを知る。しかして、ＳＴＡは、このチャネル上での聞き取りを継続し、ＷＵＲディスカバリーフレーム７２６を受信する。このＳＴＡは、２つのＡＰからのＷＵＲディスカバリーフレームを既に受信したので、ＷＵＲスキャン窓７２２を短縮し、直ちにディスカバリーチャネルＤ−ＣＨ３  ７３０に切替え、ＷＵＲスキャン窓７３２を開始してよい。ＷＵＲディスカバリーフレーム７３４を受信して、ＳＴＡは、Ｄ−ＣＨ３  ７３０上でＷＵＲディスカバリーフレームを送信している他のＡＰがないことを知り、また、Ｄ−ＣＨ３  ７３０がスキャンリスト上の最後のＷＵＲディスカバリーチャネルなので、該ＳＴＡは、ＷＵＲスキャン窓７３２を短縮し、時間７４２で高速スマートスキャニング手順７００を終了してよく、この時間は当初のスマートスキャニング手順の終了時間７４０よりも大幅に早い���要約すれば、近隣ＷＵＲ  ＡＰの情報の助力で行われた高速スマートスキャニングの過程で、ＳＴＡは、これまでに当該チャネル上で、ＷＵＲディスカバリーフレームがそれから受信された一意的ＡＰの数が、予期されているＡＰの数よりも少なく、且つＷＵＲスキャン持続時間の終わりに達していなければ、そのＷＵＲｘを使ってＷＵＲディスカバリーチャネル上での聞き取りを継続し、それ以外の場合、ＳＴＡは、現在のＷＵＲディスカバリーチャネルがスキャン対象チャネルリスト上の最後のチャネルであればスマートスキャニングを終了するか、そうでなければ、ＷＵＲディスカバリーフレームを送信している１つ以上の近隣ＡＰによって使われている次のＷＵＲディスカバリーチャネルに切替える。ＳＴＡが、予期されている数のＡＰからＷＵＲディスカバリーフレームを受信していない場合、該ＳＴＡは、全ＷＵＲスキャン持続時間の間、ＷＵＲディスカバリーチャネルを聞き取ることがある。
【００５１】
図２６は、ＷＵＲディスカバリーフレームを送信している近隣ＡＰの情報を含むのに使用してよい近隣ＡＰ情報エレメント２６００の別のフォーマットを示す。近隣ＡＰ情報フィールド２６２０は、ＷＵＲディスカバリーフレームを送信している１つ以上の近隣ＡＰについての情報を含み、一方、近隣ＡＰカウントフィールド２６１０は、近隣ＡＰ情報フィールド２６２０中にリストされたＡＰの数マイナス１を示し、値ゼロは１つのＡＰがリストされていることを示す。各近隣ＡＰ情報フィールド２６２０は、その長さが可変で、存在ビットマップフィールド２６３０およびいくつかの随意のサブフィールドから成る。存在ビットマップフィールド２６３０は、近隣ＡＰ情報フィールド２６２０中の様々なサブフィールドの存在／不存在を示し、例えば、１は対応サブフィールドが存在することを示し、０はサブフィールドが不存在であることを示す。ＰＣＲチャネルビット２６３２は、ＰＣＲオペレーティングクラスサブフィールド２６４０およびＰＣＲチャネル番号サブフィールド２６４２（合わせて当該ＡＰが作動している２０ＭＨｚプライマリチャネルを示す）の存在／不存在を示し、ＢＳＳＩＤビット２６３４は、ＡＰのＢＳＳＩＤを示すＢＳＳＩＤサブフィールド２６４４の存在／不存在を示し、一方、圧縮ＳＳＩＤビット２６３６は、当該ＡＰを介してアクセスが可能なネットワークのＳＳＩＤの圧縮バージョンを表す圧縮ＳＳＩＤサブフィールド２６４６の存在／不存在を示す。ＷＵＲディスカバリーチャネルビット２６３８は、ＷＵＲオペレーティングクラスサブフィールド２６４８およびＷＵＲディスカバリーチャネル番号サブフィールド２６５０（合わせて当該ＡＰがＷＵＲディスカバリーフレームを送信するのに用いるＷＵＲディスカバリーチャネルを識別する）の存在／不存在を示す。近隣ＡＰ情報エレメント２６００を受信したＷＵＲ  ＳＴＡは、図７に表された高速スマートスキャニング手順７００を実行するため、ＷＵＲディスカバリーフレームを送信しているＡＰの情報を使用することができる。ここで、近隣ＡＰカウントフィールド２６１０は、全てのあり得るＷＵＲディスカバリーチャネルに亘って、ＷＵＲディスカバリーフレームを送信しているＡＰの合計数を示し、ＳＴＡは、合計スキャン時間を短縮するために近隣ＡＰカウントフィールド２６１０を使うことができる。また、ＳＴＡは、近隣ＡＰ情報フィールド２６２０の内容に基づいて、各ＷＵＲディスカバリーチャネル上でＷＵＲディスカバリーフレームを送信している一意的なＡＰの数を集計し、各ＷＵＲディスカバリーチャネル上でのチャネルスキャン時間を短縮するためにこの情報を使用することが可能である。ＳＴＡは、圧縮ＳＳＩＤ２６４６などの近隣ＡＰ情報フィールド２６２０中に含まれているＡＰの情報をさらに用いて、例えば、合致するＳＳＩＤを備えたＡＰによって使われているＷＵＲディスカバリーチャネルだけをスキャンすることによって、スキャン遅延をさらに低減することができる。
【００５２】
近隣ＷＵＲ  ＡＰ情報エレメント２５００および近隣ＡＰ情報エレメント２６００は、ＷＵＲディスカバリーフレームを送信している近隣ＡＰについての情報を含む目的で新しく定義された情報エレメントの例である。新しいエレメントを定義する代わりに、既存の８０２．１１近隣エレメントをこのために転用することも可能である。図２７は、ＷＵＲディスカバリーフレームを送信している近隣ＡＰについての情報を含む目的のため転用された８０２．１１縮約近隣レポートエレメント２７００の一例を示す。近隣ＡＰ情報フィールドのフィールド２７１０は、各々が１つのチャネル上の近隣ＡＰのグループについての情報を含んでいる、１つ以上の近隣ＡＰ情報フィールドを含む。ＴＢＴＴ情報ヘッダフィールド２７３０内のＴＢＴＴ情報フィールド型フィールド２７３２は、縮約近隣レポートエレメントの用途およびフォーマットを定め、既存の８０２．１１の用途では０または１に設定される。ＴＢＴＴ情報フィールドタイプフィールド２７３２は、縮約近隣レポートエレメント２７００が、ＷＵＲディスカバリーフレームを送信している近隣ＡＰについての情報を含むように転用されていることを示すため、２に設定される。この用途では、オペレーティングクラスフィールド２７５０とチャネル番号フィールド２７５２とは、合わさって、近隣ＡＰのグループによってＷＵＲディスカバリーフレームを送信するために使われているＷＵＲディスカバリーチャネルを識別する。ＴＢＴＴ情報セットフィールド２７６０は、オペレーティングクラスフィールド２７５０とチャネル番号フィールド２７５２とによって示されたＷＵＲディスカバリーチャネル上でＷＵＲディスカバリーフレームを送信している、１つ以上の近隣ＡＰについての情報を含み、近隣ＡＰカウントフィールド２７３４は、ＴＢＴＴ情報セットフィールド２７６０中にリストされた近隣ＡＰの数マイナス１を示し、値ゼロは１つのＡＰがリストされていることを示す。存在ビットマップフィールド２７４０は、ＴＢＴＴ情報セットフィールド２７６０中の様々なサブフィールドの存在／不存在を示し、例えば１は対応するサブフィールドが存在することを、０はそのサブフィールドが不存在であることを示す。ＰＣＲチャネルビット２７４２は、ＰＣＲオペレーティングクラスサブフィールド２７６２およびＰＣＲチャネル番号サブフィールド２７６４（合わせて当該ＡＰが作動している２０ＭＨｚプライマリチャネルを示す）の存在／不存在を示し、ＢＳＳＩＤビット２７４４は、当該ＡＰのＢＳＳＩＤを示すＢＳＳＩＤサブフィールド２７６６の存在／不存在を示し、一方、圧縮ＳＳＩＤビット２７４６は、当該ＡＰを介してアクセスが可能なネットワークのＳＳＩＤの圧縮バージョンを表す圧縮ＳＳＩＤサブフィールド２７６８の存在／不存在を示す。縮約近隣レポートエレメント２７００を受信したＷＵＲ  ＳＴＡは、高速スマートスキャニング手順、例えば、図７に表された高速スマートスキャニング手順７００を実行するために、リストされたＷＵＲディスカバリーチャネル上でＷＵＲディスカバリーフレームを送信している近隣ＡＰの情報を使うことが可能である。該ＳＴＡは、各ＷＵＲディスカバリーチャネル上でのチャネルスキャン��間を短縮するために近隣ＡＰ制御フィールド２７３４を使うことができ、また、合致するＳＳＩＤを備えるＡＰによって使われているＷＵＲディスカバリーチャネルだけをスキャンすることによって、スキャン遅延をさらに低減するために、圧縮ＳＳＩＤ２７４６など、ＴＢＴＴ情報セットフィールド２７６０中に含まれたＷＵＲ  ＡＰの情報を利用することが可能である。
【００５３】
図２８は、スマートスキャニングに対応しているＷＵＲ  ＡＰによって送信が可能な、最小に圧縮されたＷＵＲディスカバリーフレームのフォーマットを示す。ＷＵＲディスカバリーフレーム２８００は、図２中のフレーム制御ＷＵＲフレーム２３０と同じ構造に従っており、フレーム制御フィールド２８１０中のフレームタイプフィールドはＷＵＲディスカバリーフレームを示しており、長さフィールドはフレームボディフィールド２８０２の長さを示している。アドレスフィールド２８１２とＴＤ制御フィールド２８１４とは合わさってＡＰ識別子２８１６を運ぶ。ＡＰ識別子２８１６は、２４ビット長で、送信しているＡＰの基本サービスセット識別子（ＢＳＳＩＤ）を表している。ＡＰ識別子２８１６は、ＡＰのＢＳＳＩＤの最後の３オクテット、すなわちＢＳＳＩＤ（２４：４７）に設定することができ、これは当該ＡＰのＢＳＳＩＤのベンダー割り当て部分を表す。これは、ＡＰ識別子２８１６が、同じ管理組織識別子（ＯＵＩ：Ｏｒｇａｎｉｚａｔｉｏｎａｌｌｙ  Ｕｎｉｑｕｅ  Ｉｄｅｎｔｉｆｉｅｒ）を用いる他のＡＰに対して一意的であることを確実にする。但し、小さな確率ではあるが、異なるＯＵＩを用いるＡＰが、同じＡＰ識別子を使ってしまうことがある。これを克服するため、ＡＰは、そのＡＰ識別子２８１６を得るのに、そのＢＳＳＩＤの最初の３つのオクテット、すなわちＢＳＳＩＤ（０：２３）と、そのＢＳＳＩＤの最後の３オクテット、すなわちＢＳＳＩＤ（２４：４７）との、ビット単位の排他的ＯＲ（ＸＯＲ）をさらに実行することが可能である。ＰＣＲチャネルサブフィールド２８２０は、ＡＰがそのＰＣＲのために使用しているプライマリ２０ＭＨｚチャネルを示し、オペレーティングクラスフィールド２８２２とチャネル番号フィールド２８２４とは、合わさって、そのプライマリ２０ＭＨｚチャネルを一意的に識別する。圧縮ＳＳＩＤフィールド２８３０は、当該ＡＰによって代表されるネットワークのＳＳＩＤの圧縮されたバージョンを表す。
【００５４】
図９中のシナリオ９００および図２９中の時間ドメインシーケンス２９００は、スマートスキャニングの遅延を低減するため、近隣ＡＰ情報エレメントに基づいてＰＣＲを使用する例示の高速スマートスキャニング手順２９２０を説明するのに用いることができる。図９中のＳＴＡ９５０がローミングを開始する前に、そのＰＣＲオペレーション２９１０の間に、ＳＴＡ９５０が、関連付けられているＡＰ１  ９１２から、ＷＵＲディスカバリーフレームを送信することができる近隣ＡＰの情報を含む近隣ＷＵＲ  ＡＰ情報エレメント２９１４を備えるビーコンフレーム２９１２を受信しているであろうことが想定されている。あるいは、近隣ＷＵＲ  ＡＰ情報エレメント２９１４が、例えば、ＡＰ２  ９２２からのプローブ応答フレーム２９１６中など、近傍の他のＡＰから受信されていることもあり得る。近隣ＷＵＲ  ＡＰ情報エレメント２９１４は、図２５中のエレメント２５００であってよい。近隣ＷＵＲ  ＡＰ情報エレメント２９１４は、ＡＰ１  ９１２がＷＵＲディスカバリーチャネルＤ−ＣＨ１  １０１０上でＷＵＲディスカバリーフレームを送信し、ＡＰ２  ９２２およびＡＰ３  ９３２がＷＵＲディスカバリーチャネルＤ−ＣＨ２  １０１２上でＷＵＲディスカバリーフレームを送信し、さらに、ＡＰ４  ９４２がＷＵＲディスカバリーチャネルＤ−ＣＨ３  １０１４上でＷＵＲディスカバリーフレームを送信していることを示す。ＷＵＲディスカバリーフレームには、図２８のフレーム２８００のフォーマットを使用することができる。ＳＴＡは、近隣ＷＵＲ  ＡＰ情報エレメント２９１４中にリストされたＡＰの圧縮ＳＳＩＤフィールド２５４６を調べることによって、そのスマートスキャニングを、ＥＳＳ１のＡＰによって使われているディスカバリーチャネルＤ−ＣＨ１  １０１０およびＤ−ＣＨ２  １０１２だけに絞る選択をすることができる。ポイントＡ９５４で、ＳＴＡ９５０は、高速スマートスキャニング手順２９２０を開始し、最初にそのＷＵＲｘ１３４をＷＵＲディスカバリーチャネルＤ−ＣＨ１  １０１０に同調し、ＡＰ１からＷＵＲディスカバリーフレーム２９２２を受信する。ＳＴＡは、ＷＵＲ  ＡＰ情報エレメント２９１４の内容に基づいて、ＡＰ１がチャネルＤ−ＣＨ１  １０１０上でＷＵＲディスカバリーフレームを送信している唯一のＡＰであるとの事前知識を有しているので、直ちにチャネルをＤ−ＣＨ２  １０１２に切替えることができ、ＡＰ２  ９２２およびＡＰ３  ９３２から、それぞれ、ＷＵＲディスカバリーフレーム２９２４および２９２６を受信する。チャネルＤ−ＣＨ２  １０１２上で送信している両方のＡＰからＷＵＲディスカバリーフレームの受信を完了し、Ｄ−ＣＨ３  １０１４上でＡＰ４によって送信されているＷＵＲディスカバリーフレームに関心がなければ、ＳＴＡは直ちに高速スマートスキャニング手順２９２０を終了することができる。
【００５５】
高速スマートスキャニング手順２９２０の終了時に、３つのＥＳＳ１のＡＰからの全３つのＷＵＲディスカバリーフレームの受信を完了し、必要に応じ近隣ＷＵＲ  ＡＰ情報エレメント２９１４を相互参照しながら、それらの内容に基づいてＳＴＡ９５０は関心のあるいくつかのＡＰをさらに選抜しリストすることが可能である。例えば、ＳＴＡ９５０は、ＡＰ識別子２８１６に基づいて、ＡＰ１  ９１２を捨て、ＡＰ２  ９２２およびＡＰ３  ９３２をローミングする対象の２つの候補ＡＰとして選抜しリストしてよい。また、ＳＴＡ９５０は、例えば、ＷＵＲディスカバリーフレーム２９２４および２９２６のＲＳＳＩ（Ｒｅｃｅｉｖｅ  Ｓｉｇｎａｌ  Ｓｔｒｅｎｇｔｈ  Ｉｎｄｉｃａｔｏｒ（受信信号強度インジケータ））などの追加情報を用いて、この選抜リストを決めることも可能である。ポイントＢ９５６で、ＳＴＡ９５０は、受信したＷＵＲディスカバリーフレームから各ＡＰのプライマリＰＣＲチャネルなどの必要な情報を抽出し、自分のＰＣＲ１３２を使って、アクティブスキャン手順２９３０を開始し、プローブ要求フレーム２９３２および２９３６を、それぞれ、ＰＣＲチャネルＣＨ４０  １０３２およびＣＨ４４  １０３４上のＡＰ２  ９２２およびＡＰ３  ９３２に向け送信する。ＳＴＡ９５０は、その現在のＥＳＳ、すなわちＥＳＳ１に属しているＢＳＳへの参入に関心があるので、プローブ要求フレーム２９３２および２９３６のＳＳＩＤフィールドをＥＳＳ１のＳＳＩＤに設定し、引き続いて、ＡＰ２  ９２２およびＡＰ３  ９３２から、それぞれ、プローブ応答フレーム２９３４および２９３８を受信する。プローブ応答フレームは、ＷＵＲディスカバリーフレームと比べてずっと多くの情報を含むことができるので、ＳＴＡ９５０は、プローブ応答フレーム２９３４および２９３８中に含まれたＢＳＳ負荷情報に基づいて、ローミングのため自分が選好するＡＰとしてＡＰ２  ９２２を選択し、ＡＰ２  ９２２とのリンクセットアップ手順２９４０（認証、関連付けなど）を実行する。ポイントＣ９５８で、ＳＴＡ９５０は、ＡＰ１  ９１２との通信リンクを失う前に、そのＰＣＲ１３２を介してＡＰ２  ９２２とのデータ交換２９５０を開始することが可能である。バックグラウンドで高速スマートスキャニング手順２９２０を行って、候補ＡＰを選抜しリストすることができることで、アクティブスキャン手順２９３０に必要な時間を大幅に短縮し、高速ローミングを可能にすることができる。
【００５６】
図３０は、スマートスキャニングに対応しているＷＵＲ  ＡＰによって送信が可能な、圧縮ＷＵＲディスカバリーフレームの別のフォーマットを示す。ＷＵＲディスカバリーフレーム３０００は、図２中のＷＵＲフレーム２３０と同じ構造に従っており、そのフレーム制御フィールド３０１０中のフレームタイプフィールドはＷＵＲディスカバリーフレームを示し、長さフィールドはフレームボディフィールド３００２の長さを示している。アドレスフィールド３０１２はＡＰ識別子３０１６を含む。ＡＰ識別子３０１６は、１２ビット長であり、特別に割り当てられた識別子であってよく、または送信しているＡＰの基本サービスセット識別子（ＢＳＳＩＤ）を示していてもよい。例えば、ＡＰ識別子３０１６は、ＡＰのＢＳＳＩＤ、すなわちＢＳＳＩＤ  （３６：４７）の最後の１２ビットに設定することができる。ＰＣＲチャネルインデックスサブフィールド３０２０は、ＴＤ制御フィールド３０１４の最初の１０ビットを占め、ＡＰがそのＰＣＲのために用いるプライマリ２０ＭＨｚチャネルにマップされる。ＴＤ制御フィールド３０１４の１１番目のビットは、フレームボディフィールド３００２中の近隣ＡＰ情報フィールド３０４０の存在／不存在を示すための近隣ＡＰ情報存在ビットとして用いられる。コンパクトＳＳＩＤフィールド３０３０は、ＡＰによって代表されるネットワークのＳＳＩＤのハッシュ化表現の２４ビットを含み、これは、ＡＰのＳＳＩＤをＳＨＡ−２５６などの一般的なハッシュ関数に通し、２４ビットに切り詰めることによって得ることができる。近隣ＡＰ情報フィールド３０４０は、ＷＵＲディスカバリーチャネルの各々上の個々の近隣ＡＰカウントで形成されている。例えば、３つのＷＵＲディスカバリーチャネルが定義されている場合、ＣＨ１近隣ＡＰカウントフィールド３０４２は、同じディスカバリーチャネル（すなわち、ＷＵＲディスカバリーチャネル１）上で同様にＷＵＲディスカバリーフレームを送信している近隣ＡＰの数を示す。同様に、ＣＨ２近隣ＡＰカウントフィールド３０４４およびＣＨ３近隣ＡＰカウントフィールド３０４６は、それぞれ、ＷＵＲディスカバリーチャネル２および３上でＷＵＲディスカバリーフレームを送信している近隣ＡＰの数を示す。ＰＣＲチャネルインデックスサブフィールド３０２０は、国／地域インデックスフィールド３０２２およびオペレーティングクラス＆チャネルインデックスフィールド３０２４で形成され、これらは合わさって、送信しているＡＰのＰＣＲによって使用されている２０ＭＨｚチャネルのオペレーティングクラスとチャネル番号とを一意的に識別する。
【００５７】
図３１Ａ中のテーブル３１００は、国／地域インデックスフィールド３０２２に対して使われている符号化を表し、オペレーティングクラス＆チャネルインデックスフィールド３０２４に対する国または地域を示す。インデックス３１０２の値０、１、２、３、および４は、米国、欧州、日本、世界、および中国を表し、値５、６、および７は予備用である。図３１Ｂ中のテーブル３１１０は、国／地域インデックスフィールド３０２２が０（米国）に設定されたときに、オペレーティングクラス＆チャネルインデックスフィールド３０２４を、全ての利用可能な２０ＭＨｚチャネルのオペレーティングクラスおよびチャネル番号にマップした例示のテーブルである。インデックス３１１２の値０〜５１は、米国において使用可能な２０ＭＨｚチャネルのオペレーティングクラスおよびチャネル番号の５２の一意的な組み合せをマップしており、一方、値５２〜１２７は予備用である。図示されていないが、他の国／地域の各々における全ての２０ＭＨｚチャネルをリストすることによって同様なテーブルを作成することができる。
【００５８】
また、スマートスキャニングに対応しているＡＰによるＷＵＲディスカバリーフレームの送信のためのパラメータを設計するとき、ＷＵＲ送信のためだけでなく、ＰＣＲ送信のためにＡＰによって使用されるワイヤレスチャネルを考慮に入れることも重要である。ＰＣＲ送信とＷＵＲ送信とが相異なる周波数帯上のチャネルを使っている場合は特にそうである。ワイヤレス信号の送信到達距離は、そのワイヤレス信号の周波数に依存することはよく知られている。同じ送信電力で送信された場合、２．４ＧＨｚ帯域のワイヤレス信号は、５ＧＨｚ帯域に比べておおよそ２倍の距離をカバーする。ＩＥＥＥ  ８０２．１１ｂａタスクグループは、ＷＵＲ波形は狭帯域の性質なので、ＷＵＲチャネルとして５ＧＨｚ帯域中での動的周波数選択（ＤＦＳ：Ｄｙｎａｍｉｃ  Ｆｒｅｑｕｅｎｃｙ  Ｓｅｌｅｃｔｉｏｎ）チャネルを使うべきではないと決議している。さらに、２．４ＧＨｚにおけるより長い到達距離によって、ＡＰは、ＷＵＲディスカバリーフレームの送信のために２．４ＧＨｚ帯域を使う一方、そのＰＣＲ送信のため５ＧＨｚを使用することができる。かかる状況において、ＡＰが、ＰＣＲおよびＷＵＲ両方の送信に対し同じ送信電力を使う場合、２．４ＧＨｚ帯域でのＷＵＲディスカバリーフレームの送信到達距離は、５ＧＨｚ帯域中の８０２．１１ビーコンフレームの距離のほぼ倍になろう。このことは、スマートスキャニングを行っているＷＵＲ  ＳＴＡが、或るＡＰからＷＵＲディスカバリーフレームを受信し、そのＡＰをローミングの候補ＡＰとして選択はできたが、ＰＣＲを用いたパッシブ／アクティブスキャンの過程で、そのＡＰからビーコンフレームまたはプローブ応答フレームを受信できない状況につながる可能性がある。かかるＰＣＲとＷＵＲとの到達距離のミスマッチを回避するために、ＷＵＲディスカバリーフレームを送信する際に、ＡＰが、ＷＵＲディスカバリーフレームの到達距離が８０２．１１ビーコンフレームによる距離とおおよそ同じになるように、送信電力を調整することが推奨される。これは、ＡＰからのＷＵＲディスカバリーフレームを受信できるＷＵＲ  ＳＴＡが、ＰＣＲを使ってそのＡＰと通信できることを確実にすることになる。ＰＣＲが２．４ＧＨｚ帯域中のチャネルを使い、ＷＵＲが５ＧＨｚ帯域を使う逆の場合には、ＷＵＲ送信の送信電力は、到達距離要件を満たすために増幅される必要がある。この場合、信頼可能なＷＵＲオペレーションを確実にするために、ＷＵＲディスカバリーフレームばかりでなく、ＷＵＲウェイクアップフレームおよびＷＵＲビーコンフレームについても、送信電力の調整を検討する必要がある。
【００５９】
（実施の形態４）
実施の形態３において、ＷＵＲ  ＳＴＡが、それが関連付けられたＡＰから、または近傍のいずれかの他のＡＰから、ＷＵＲディスカバリーフレームを送信している近隣ＡＰの情報をどのように受信し、そのスキャン／ローミングオペレーションを促進するためにその情報を使用するかを説明した。しかしながら、一部のネットワークでは、ＡＰが、近隣ＡＰの情報の送信に対応していないことがある。また一方、ＷＵＲディスカバリーフレームを送信する或るＡＰは、例えば、図５中のＷＵＲオペレーションエレメント５００のＷＵＲディスカバリーチャネルフィールド５１４を使って、ビーコンフレーム、プローブ応答フレームなどのフレーム中で、ＷＵＲディスカバリーフレームを送信しているＷＵＲディスカバリーチャネルを広告するであろう。あるいは、このＷＵＲディスカバリーチャネルは、図３３中のＷＵＲ能力エレメント３３００のＷＵＲオペレーティングクラスフィールド３３１０とＷＵＲディスカバリーチャネルフィールド３３２０との組み合せを使って広告されてもよい。かかる状況において、ＷＵＲ  ＳＴＡは、自分の今後のローミング決定のために、近隣ＡＰについてのレポートを自身で集めてもよい。
【００６０】
ＷＵＲ  ＳＴＡがローミング遅延を低減するため、近隣ＡＰについての自分自身のレポートを集める一例を説明するのに、図９中のシナリオ９００および図３２中の時間ドメインシーケンス３２００を用いることができる。図９中のＳＴＡ９５０がローミングを開始する前に、そのＰＣＲオペレーション３２０２がアイドル時間の間、ＳＴＡ９５０は、ＷＵＲディスカバリーフレームを送信している近隣ＡＰに関する情報を集めることができるとの想定がされている。ＰＣＲオペレーション３２０２は、近隣ＡＰからのビーコンフレーム、プローブ応答フレーム中に含まれているＷＵＲオペレーションエレメント３２０４を集めるため、ＳＴＡによるそのオペレーティングチャネル以外のＰＣＲチャネル上でのオフチャネルのパッシブスキャンを含む。このＷＵＲオペレーションエレメント３２０４は、図５中のＷＵＲオペレーションエレメント５００であってよい。さらに、ＳＴＡ９５０は、それがアイドルなＷＵＲモードにあるとき、ＷＵＲディスカバリーフレーム３２１２、３２１４などを受信するため、そのＷＵＲｘを使って、諸ＷＵＲディスカバリーチャネル上のスキャン３２１０を行うことも可能である。そのアイドル時間の間に集められたかかる情報を用いて、ＳＴＡ９５０は、ＷＵＲディスカバリーフレームを送信する近隣ＡＰのレポートを作成することができる。一例として、このレポートは、ＡＰ１  ９１２がＷＵＲディスカバリーチャネルＤ−ＣＨ１  １０１０上でＷＵＲディスカバリーフレームを送信し、ＡＰ２  ９２２およびＡＰ３  ９３２がＷＵＲディスカバリーチャネルＤ−ＣＨ２  １０１２上でＷＵＲディスカバリーフレームを送信し、ＡＰ４  ９４２がＷＵＲディスカバリーチャネルＤ−ＣＨ３  １０１４上でＷＵＲディスカバリーフレームを送信していることを示すことが可能である。ＷＵＲディスカバリーフレームには、図２８のフレーム２８００のフォーマットを使用することができる。ポイントＡ９５４で、ＳＴＡ９５０は、高速スマートスキャニング手順３２２０を開始し、最初にそのＷＵＲｘ１３４をＷＵＲディスカバリーチャネルＤ−ＣＨ１  １０１０に同調し、ＡＰ１からＷＵＲディスカバリーフレーム３２２２を受信する。ＳＴＡ９５０は、それが集めた近隣ＡＰに関するレポートの内容に基づいて、ＡＰ１がチャネルＤ−ＣＨ１  １０１０上でＷＵＲディスカバリーフレームを送信している唯一のＡＰであるとの事前知識を有しており、しかして、直ちにチャネルをＤ−ＣＨ２  １０１２に切替えることができ、ＡＰ２  ９２２およびＡＰ３  ９３２から、それぞれ、ＷＵＲディスカバリーフレーム３２２４および３２２６を受信する。同様に、ＳＴＡ９５０は、ＡＰ１およびＡＰ２が、チャネルＤ−ＣＨ２  １０１２上でＷＵＲディスカバリーフレームを送信しているただ２つのＡＰであるとの事前知識を有しており、しかして、直ちにチャネルをＤ−ＣＨ３  １０１４に切替えることでき、ＡＰ４  ９４２からＷＵＲディスカバリーフレーム３２２８を受信する。ＳＴＡ９５０は、ＡＰ４がチャネルＤ−ＣＨ３  １０１４上でＷＵＲディスカバリーフレームを送信している唯一のＡＰであるとの事前知識を有しているので、ＳＴＡは、ＷＵＲディスカバリーフレーム３２２８を受信��た後、直ちに高速スマートスキャニング手順３２２０を終了することができる。
【００６１】
高速スマートスキャニング手順３２２０の終了時に、ＳＴＡ９５０は、受信したＷＵＲディスカバリーフレームの内容に基づいて、関心のあるいくつかのＡＰを選抜しリストすることが可能である。例えば、圧縮ＳＳＩＤフィールド２８３０に基づいて、ＳＴＡ９５０は、ＡＰ４  ９４２を捨て、ＡＰ２  ９２２およびＡＰ３  ９３２をローミングする対象の２つの候補ＡＰとして選抜しリストしてよい。また、ＳＴＡ９５０は、選抜リスト決定を行うために、例えば、ＷＵＲディスカバリーフレーム３２２４、３２２６、および３２２８のＲＳＳＩ（Ｒｅｃｅｉｖｅ  Ｓｉｇｎａｌ  Ｓｔｒｅｎｇｔｈ  Ｉｎｄｉｃａｔｏｒ）など追加の情報を用いることも可能である。ポイントＢ９５６で、ＳＴＡ９５０は、受信されたＷＵＲディスカバリーフレームから各ＡＰのプライマリＰＣＲチャネルなどの必要な情報を抽出し、自分のＰＣＲ１３２を使ってアクティブスキャン手順３２３０を開始し、プローブ要求フレーム３２３２および３２３６を、それぞれ、ＰＣＲチャネルＣＨ４０  １０３２およびＣＨ４４  １０３４上のＡＰ２  ９２２およびＡＰ３  ９３２に送信する。ＳＴＡ９５０は、その現在のＥＳＳすなわちＥＳＳ１に属するＢＳＳへの参入に関心があるので、該ＳＴＡは、プローブ要求フレーム３２３２および３２３６のＳＳＩＤフィールドを、ＥＳＳ１のＳＳＩＤに設定し、引き続いて、ＡＰ２  ９２２およびＡＰ３  ９３２から、それぞれ、プローブ応答フレーム３２３４および３２３８を受信する。プローブ応答フレームは、ＷＵＲディスカバリーフレームと比べて相当に多くの情報を含むことができるので、ＳＴＡ９５０は、例えば、プローブ応答フレーム３２３４および３２３８中に含まれている能力エレメントに基づいて、ローミングのためそれが選好するＡＰとしてＡＰ２  ９２２を選択し、ＡＰ２  ９２２とのリンクセットアップ手順３２４０（認証、関連付け）を実行する。ポイントＣ９５８で、ＡＰ１  ９１２との通信リンクを失う前に、ＳＴＡ９５０は、そのＰＣＲ１３２を介してＡＰ２  ９２２とデータ交換３２５０を開始することが可能である。ＷＵＲディスカバリーフレームを送信する近隣ＡＰのレポートを事前に集め、高速スマートスキャニング手順３２２０を行うことにより、アクティブスキャン手順３２３０のために必要な時間を大幅に削減し、迅速なローミングを可能にできることがわかる。
【００６２】
本開示は、ソフトウェア、ハードウェア、またはハードウェアと協働するソフトウェアによって実現することができる。前述の各実施形態の説明で用いられた各機能ブロックは、集積回路などのＬＳＩによって部分的にまたは全体的に実現することが可能で、各実施形態において説明された各プロセスは、ＬＳＩまたは諸ＬＳＩの組み合せによって、部分的にまたは全体的に制御することができる。このＬＳＩは、チップとして個別に形成されてもよく、または、１つのチップが機能ブロックの一部または全部を含むように形成されてもよい。このＬＳＩはそれに接続された入力端および出力端を含むことが可能である。このＬＳＩは、集積度の差によって、ＩＣ、システムＬＳＩ、超ＬＳＩ、または超大規模ＬＳＩを称することができる。但し、集積回路を実装する技法は、ＬＳＩに限定されるものでなく、専用回路、汎用プロセッサ、または特定用途向けプロセッサを用いて実現することが可能である。さらに、ＬＳＩの製造の後でプログラムができるＦＰＧＡ（Ｆｉｅｌｄ  Ｐｒｏｇｒａｍｍａｂｌｅ  Ｇａｔｅ  Ａｒｒａｙ（フィールドプログラマブルゲートアレイ））、またはＬＳＩ内部に配置された回路セルの接続および設定の再構成が可能な再構成可能プロセッサを用いることができる。本開示は、デジタル処理またはアナログ処理として実現することが可能である。半導体技術または他の派生技術の進展の結果として、将来の集積回路技術がＬＳＩに置き換わった場合、これらの機能ブロックその将来の集積回路技術を使って集積することができよう。また、バイオ技術も適用が可能である。
【００６３】
半導体技術またはこの技術から派生した他の諸技術の進歩の結果として、ＬＳＩを代替する回路集積技術が出現した場合、これらの機能ブロックはその将来の集積回路技術を用いて集積することが可能であろう。別の可能性は、バイオ技術および／または類似技術の応用である。
【００６４】
本開示は、通信の機能を有し通信装置と言われる、任意の装置、デバイス、またはシステムによって実現することができる。かかる通信装置の非限定の例には、電話（例えば、セルラ（セル）電話、スマートフォン）、タブレット、パーソナルコンピュータ（ＰＣ：ｐｅｒｓｏｎａｌ  ｃｏｍｐｕｔｅｒ）（例えば、ラップトップ、デスクトップ、ネットブック）、カメラ（例えば、デジタル静止／ビデオカメラ）、デジタルプレイヤ（デジタルオーディオ／ビデオプレイヤ）ウェアラブルデバイス（例えば、ウェアラブルカメラ、スマートウォッチ、追跡デバイス）、ゲームコンソール、デジタルブックリーダ、テレヘルス／テレメディシン（遠隔ヘルスおよびメディシン）デバイス、輸送機関搭載通信機能（例えば自動車、飛行機、船舶）およびこれらの様々な組み合せが含まれる。
【００６５】
この通信装置は、携帯型または移動型に限定されず、スマートホームデバイス（例えば、電気機器、照明装置、スマートメーター、制御パネル）、ベンディングマシン、および「モノのインターネット（Ｉｎｔｅｒｎｅｔ  ｏｆ  Ｔｈｉｎｇｓ（ＩｏＴ））」のネットワーク中の任意の他の「モノ」など、非携帯型または固定型の任意の種類の装置、デバイスまたはシステムをも含んでよい。
【００６６】
この通信は、例えば、セルラシステム、ワイヤレスＬＡＮシステム、衛星システムなど、およびそれらの様々な組み合せを介したデータの交換を含んでよい。
【００６７】
この通信装置は、本開示中に記載された通信の機能を行う通信デバイスに接続されたコントローラまたはセンサなどのデバイスを含んでよい。例えば、この通信装置は、該通信装置の通信機能を実行する通信デバイスによって用いられる制御信号またはデータ信号を生成する、コントローラまたはセンサを含んでよい。
【００６８】
また、この通信装置は、基地局、アクセスポイント、および、上記の非限定の例の中のものなどの装置と、通信するまたはそれらを制御する任意の他の装置、デバイス、またはシステムなどのインフラストラクチャ施設も含んでよい。
【００６９】
２０１７年１２月２５に値に出願された日本国特許出願第２０１７−２４７６８１号、および２０１８年２月７日に出願された日本国特許出願第２０１８−０２００６９号は、その全体を参照することによって、その明細書、図面、および要約書を含め、本明細書に組み込まれる。
【産業上の利用可能性】
【００７０】
本開示は、ワイヤレスネットワークにおけるＷＵＲモードオペレーションのための装置および方法に応用することができる。
【符号の説明】
【００７１】
１１０、２２００    ＡＰ
１２０    ＳＴＡ
１３０、１４０、２３００、２４００    ＷＵＲ  ＳＴＡ
１１２、１２２、１３２、１４２、２１００、２３３０    ＰＣＲ
１３４、１４４、２３１０、２４６０    ＷＵＲｘ
２１０２、２２０２、２３０２、２４０２    アンテナ
２１１０、２３１２、２３３２、２４６２    ＲＦ／アナログフロントエンド
２１２０、２３４０    ＰＨＹ処理回路
２１２２、２２６２、２３４２、２４５６    ＯＦＤＭモジュレータ／デモジュレータ
２１２４、２２６４、２３２２、２３５２    周波数チューナ
２１３４、２２５６    近隣ＡＰレポートジェネレータ
２１３２、２２５８    ＷＵＲフレームジェネレータ／スケジューラ
２２５２、２４５２    ＭＡＣモジュール
２２６０、２４５４    ＰＨＹモジュール
２３２０、２４６８    ＷＵＲスマートスキャンモジュール
２３２４    ＷＵＲ  ＡＰカウンタ
２３２６    ＷＵＲ  ＡＰ情報モジュール
２３５０、２４５８    ＰＣＲスキャンモジュール
２３５４    スキャン情報
２１３０、２３４４    ＭＡＣ処理回路
２２５４    ＰＣＲペイロードジェネレータ
２３２８、２４７０    近隣ＡＰ情報
２２１０、２４１０    電源
２２２０、２４２０    メモリ
２２３０、２４３０    ＣＰＵ
２２４０、２４４０    補助ストレージ
２２５０    ワイヤレスＩ／Ｆ
２２７０    有線通信Ｉ／Ｆ
２３１４、２４６４    ＷＵＲプリアンブル検出モジュール
２３１６、２４６６    ＷＵＲパケット復号／処理モジュール
２４５０    ＰＣＲインターフェース
【図１】
2021508203.tif 000003
【図２】
2021508203.tif 000004
【図３】
2021508203.tif 000005
【図４】
2021508203.tif 000006
【図５】
2021508203.tif 000007
【図６】
2021508203.tif 000008
【図７】
2021508203.tif 000009
【図８】
2021508203.tif 000010
【図９】
2021508203.tif 000011
【図１０】
2021508203.tif 000012
【図１１】
2021508203.tif 000013
【図１２】
2021508203.tif 000014
【図１３】
2021508203.tif 000015
【図１４】
2021508203.tif 000016
【図１５】
2021508203.tif 000017
【図１６】
2021508203.tif 000018
【図１７】
2021508203.tif 000019
【図１８】
2021508203.tif 000020
【図１９】
2021508203.tif 000021
【図２０】
2021508203.tif 000022
【図２１】
2021508203.tif 000023
【図２２】
2021508203.tif 000024
【図２３】
2021508203.tif 000025
【図２４】
2021508203.tif 000026
【図２５】
2021508203.tif 000027
【図２６】
2021508203.tif 000028
【図２７】
2021508203.tif 000029
【図２８】
2021508203.tif 000030
【図２９】
2021508203.tif 000031
【図３０】
2021508203.tif 000032
【図３１Ａ】
2021508203.tif 000033
【図３１Ｂ】
2021508203.tif 000034
【図３２】
2021508203.tif 000035
【図３３】
2021508203.tif 000036
【国際調査報告】
2021508203.tif 000037